(57)【特許請求の範囲】
【請求項１】
ユーザによって操作される複数の部位と、前記複数の部位のそれぞれの近傍に位置するＲＦタグのそれぞれとが設けられた機器の複数の前記ＲＦタグから無線通信により送信されてきた、前記ＲＦタグ近傍に位置する前記部位を識別するための識別情報を受信する受信手段と、
受信した複数の前記識別情報に基づいて、前記識別情報により識別される前記部位近傍に、前記識別情報を送信した前記ＲＦタグの位置を表す画像が、前記識別情報の受信強度に応じた大きさで表示される前記機器の画像である機器画像を生成する生成手段と、
前記機器画像の表示を制御する表示制御手段と、
前記機器画像における、複数の前記ＲＦタグの位置を表す画像のうちの何れかが前記ユーザにより指定された場合、指定された前記ＲＦタグの位置を表す画像に対応する前記識別情報に基づいて、前記識別情報により識別される前記部位を説明する説明情報を検索する検索手段と
を備え、
前記表示制御手段は、検索された前記説明情報に基づいて、前記部位を説明する画像の表示をさらに制御する
ことを特徴とする通信装置。
【請求項２】
ユーザによって操作される複数の部位と、前記複数の部位のそれぞれの近傍に位置するＲＦタグのそれぞれとが設けられた機器の複数の前記ＲＦタグから無線通信により送信されてきた、前記ＲＦタグ近傍に位置する前記部位を識別するための識別情報の受信を制御する受信制御ステップと、
受信した複数の前記識別情報に基づいて、前記識別情報により識別される前記部位近傍に、前記識別情報を送信した前記ＲＦタグの位置を表す画像が、前記識別情報の受信強度に応じた大きさで表示される前記機器の画像である機器画像を生成する生成ステップと、
前記機器画像の表示を制御する第１の表示制御ステップと、
前記機器画像における、複数の前記ＲＦタグの位置を表す画像のうちの何れかが前記ユーザにより指定された場合、指定された前記ＲＦタグの位置を表す画像に対応する前記識別情報に基づいて、前記識別情報により識別される前記部位を説明する説明情報を検索する検索ステップと、
検索された前記説明情報に基づいて、前記部位を説明する画像の表示を制御する第２の表示制御ステップと
を含むことを特徴とする通信方法。
【請求項３】
ユーザによって操作される複数の部位と、前記複数の部位のそれぞれの近傍に位置するＲＦタグのそれぞれとが設けられた機器の複数の前記ＲＦタグから無線通信により送信されてきた、前記ＲＦタグ近傍に位置する前記部位を識別するための識別情報の受信を制御する受信制御ステップと、
受信した複数の前記識別情報に基づいて、前記識別情報により識別される前記部位近傍に、前記識別情報を送信した前記ＲＦタグの位置を表す画像が、前記識別情報の受信強度に応じた大きさで表示される前記機器の画像である機器画像を生成する生成ステップと、
前記機器画像の表示を制御する第１の表示制御ステップと、
前記機器画像における、複数の前記ＲＦタグの位置を表す画像のうちの何れかが前記ユーザにより指定された場合、指定された前記ＲＦタグの位置を表す画像に対応する前記識別情報に基づいて、前記識別情報により識別される前記部位を説明する説明情報を検索する検索ステップと、
検索された前記説明情報に基づいて、前記部位を説明する画像の表示を制御する第２の表示制御ステップと
を含む処理をコンピュータに実行させることを特徴とするプログラム。
【発明の詳細な説明】
【技術分野】
【０００１】
本発明は通信装置および方法、並びにプログラムに関し、特に、必要な情報をより迅速に得ることができるようにした通信装置および方法、並びにプログラムに関する。
【背景技術】
【０００２】
近年、操作方法、使用方法、および適用方法の解説が必要な製品に添付される説明書は、徐々に紙媒体からpdf（Portable Document Format）（商標）などの方式による電子書類に置き換わりつつある。しかしながら、製品がより複雑になっている昨今では、紙媒体や電子書類のボリュームが年々増える傾向にあり、説明書の中から、所望の解説を探索することが困難になりつつある。
【０００３】
紙媒体の説明書の多くには索引が付いており、また、電子書類の多くでは、索引に加えて、文字列を検索することができる。この索引および検索機能を適切に利用し、解説を解釈するには、製品の各部の名称や用語を予め知っている必要がある。
【０００４】
しかしながら、説明書によっては、図面を見ただけでは、対応する実物の箇所が分からない場合があった。製品が複雑なシステムである場合には、似通った用語が数多く使われているなど、誤解または誤用を誘発しやすいという問題があった。
【０００５】
このような問題の解決方法として、製品にＲＦ（Radio Frequency）タグを装着し、ＲＦタグに製品の情報やマニュアル情報を予め書き込んでおくことで、製品にリーダを近づけた場合に、ＲＦタグに記録されている情報を得ることができるという方法が提案されている。
【０００６】
一般に、RFID（Radio Frequency Identification）は、内蔵されている半導体メモリにデータを記憶し、半導体メモリのデータを読み出して、誘導電磁界または電波を介した近距離通信で、読み出したデータを送信するか、または、送信されてきたデータを受信して、受信したデータを半導体メモリに書き込む。特に、RFIDからデータを読み出す装置はリーダと称され、RFIDにデータを書き込む装置はライタと称される。一般に、記憶されているデータを少なくとも読み出しすることができるRFIDである情報媒体は、ＲＦタグと称される。
【０００７】
RFIDは、アンテナおよび半導体メモリを含む半導体集積回路チップからなり、アンテナによって電波を受信する。RFIDは、受信した電波、またはリーダ若しくはライタとの電磁結合により、動作に必要な電力を発生させるものもある。リーダと通信するRFIDは、記憶されているデータに応じて、変化させた反射波を発生させ（電磁結合の負荷を変化させることにより）、データをリーダに読み取らせる。
【０００８】
なお、ＲＦタグは、データキャリア、トランスポンダ、スマートカード、インテリタグ、無線ＩＣタグ、および非接触式ＩＣタグなどとも称されている。
【０００９】
例えば、ＲＦタグは流通過程における商品の識別の用途に利用されている。ＲＦタグは半導体集積回路チップ内に、商品を識別するための識別情報などの固有の情報を記憶することができる。リーダは、ＲＦタグから、識別情報を無線通信により読み出すことができる。
【００１０】
さらに、また、ＲＦタグを利用して、物品の識別を行う識別装置もある（例えば、特許文献１参照）。この識別装置においては、物品に装着された通信タグに記憶されている、識別子が受信され、受信された識別子を基に、物品と関連付けられた音声データが再生される。
【００１１】
【特許文献１】特開２００３−２７１１５７号公報
【発明の開示】
【発明が解決しようとする課題】
【００１２】
しかしながら、上述した方法においては、製品についての多くの情報を、ユーザに提示することはできるが、製品の各部に特化した情報を、きめ細かく提示することへの配慮がなされていないため、ユーザが所望の情報を容易に得ることができないという課題があった。
【００１３】
本発明は、このような状況に鑑みてなされたものであり、情報を検索する労力を軽減させ、機器の部位について、より迅速に必要な情報を得ることができるようにするためのものである。
【課題を解決するための手段】
【００２１】
本発明の通信装置は、ユーザによって操作される複数の部位と、複数の部位のそれぞれの近傍に位置するＲＦタグのそれぞれとが設けられた機器の複数のＲＦタグから無線通信により送信されてきた、ＲＦタグ近傍に位置する部位を識別するための識別情報を受信する受信手段と、受信した複数の識別情報に基づいて、識別情報により識別される部位近傍に、識別情報を送信したＲＦタグの位置を表す画像が、識別情報の受信強度に応じた大きさで表示される機器の画像である機器画像を生成する生成手段と、機器画像の表示を制御する表示制御手段と、機器画像における、複数のＲＦタグの位置を表す画像のうちの何れかがユーザにより指定された場合、指定されたＲＦタグの位置を表す画像に対応する識別情報に基づいて、識別情報により識別される部位を説明する説明情報を検索する検索手段とを備え、表示制御手段は、検索された説明情報に基づいて、部位を説明する画像の表示をさらに制御することを特徴とする。
【００２５】
本発明の通信方法またはプログラムは、ユーザによって操作される複数の部位と、複数の部位のそれぞれの近傍に位置するＲＦタグのそれぞれとが設けられた機器の複数のＲＦタグから無線通信により送信されてきた、ＲＦタグ近傍に位置する部位を識別するための識別情報の受信を制御する受信制御ステップと、受信した複数の識別情報に基づいて、識別情報により識別される部位近傍に、識別情報を送信したＲＦタグの位置を表す画像が、識別情報の受信強度に応じた大きさで表示される機器の画像である機器画像を生成する生成ステップと、機器画像の表示を制御する第１の表示制御ステップと、機器画像における、複数のＲＦタグの位置を表す画像のうちの何れかがユーザにより指定された場合、指定されたＲＦタグの位置を表す画像に対応する識別情報に基づいて、識別情報により識別される部位を説明する説明情報を検索する検索ステップと、検索された説明情報に基づいて、部位を説明する画像の表示を制御する第２の表示制御ステップとを含むことを特徴とする。
【００２７】
本発明の通信装置、および方法、並びにプログラムにおいては、ユーザによって操作される複数の部位と、複数の部位のそれぞれの近傍に位置するＲＦタグのそれぞれとが設けられた機器の複数のＲＦタグから無線通信により送信されてきた、ＲＦタグ近傍に位置する部位を識別するための識別情報が受信され、受信された複数の識別情報に基づいて、識別情報により識別される部位近傍に、識別情報を送信したＲＦタグの位置を表す画像が、識別情報の受信強度に応じた大きさで表示される機器の画像である機器画像が生成され、機器画像が表示され、機器画像における、複数のＲＦタグの位置を表す画像のうちの何れかがユーザにより指定された場合、指定されたＲＦタグの位置を表す画像に対応する識別情報に基づいて、識別情報により識別される部位を説明する説明情報が検索され、検索された説明情報に基づいて、部位を説明する画像が表示される。
【００３４】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００３５】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。
【発明の効果】
【００３６】
本発明によれば、情報を検索する労力を軽減させ、より迅速に必要な情報を得ることができる。
【発明を実施するための最良の形態】
【００５４】
本発明は、例えば、ユーザが、機器の操作に必要な情報を得るために行う、無線通信システムなどに適用できる。
【００５５】
まず、本発明を適用した第１の実施の形態について説明する。
【００５６】
図１は、無線通信システムを構成するＲＦタグおよびリーダについて説明する図である。すなわち、  
【００５７】
図１は、本発明に係る無線通信システムを構成し、無線通信によりデータを送受信するリーダおよびＲＦタグの構成を説明するブロック図である。
【００５８】
リーダ１１は、無線通信により、ＲＦタグ１２あてにデータの送信を要求する旨の信号（以下、要求信号と称する）を送信する。ＲＦタグ１２は、リーダ１１から送信されてきた、要求信号を受信する。ＲＦタグ１２は、受信した要求信号に応じて、無線通信により、リーダ１１あてにデータを送信する。そして、リーダ１１は、ＲＦタグ１２から送信されてきたデータを受信する。
【００５９】
リーダ１１の制御部３４は、リーダ１１全体を制御する。例えば、制御部３４は、要求信号を生成し、生成した要求信号を変調部３２に供給する。変調部３２は、制御部３４から供給された要求信号を所定の変調方式により変調する。アンテナ３１は、変調された要求信号を、無線通信により、ＲＦタグ１２あてに送信する。すなわち、アンテナ３１は、要求信号を伝送する電波（電磁波）を輻射する。
【００６０】
ＲＦタグ１２のアンテナ４１は、アンテナ３１から送信されてきた要求信号を受信する。要求信号が受信されると、電力発生部４２は、要求信号を受信することによって、アンテナ４１において励起された交流の起電力を基に直流電力を発生し、発生した直流電力をＲＦタグ１２の各部に供給する。
【００６１】
より詳細には、アンテナ３１は、リーダ１１が、ＲＦタグ１２と無線通信を行っている間、電波を輻射し続ける。アンテナ４１は、輻射された電波を受信して、起電力を継続して発生する。電力発生部４２は、アンテナ４１において発生した起電力を基に、直流電力を発生させ、ＲＦタグ１２の各部に、ＲＦタグ１２が駆動するのに必要な直流電力を供給し続ける。
【００６２】
リーダ１１およびＲＦタグ１２は、電磁結合し、リーダ１１は、電磁結合を介してＲＦタグ１２に電力を供給するようにしてもよい。
【００６３】
この場合、ユーザが、リーダ１１をＲＦタグ１２に近づけることにより、アンテナ３１およびアンテナ４１は電磁結合する。ＲＦタグ１２の電力発生部４２は、電磁結合を介して、アンテナ３１の交流電流に応じて発生したアンテナ４１に流れる交流電流を整流し、安定化させることによって直流電力を発生させる。電力発生部４２は、発生させた直流電力をＲＦタグ１２の各部に供給する。
【００６４】
ＲＦタグ１２のアンテナ４１は、受信した要求信号を復調部４４に供給する。復調部４４は、供給された要求信号を、リーダ１１の変調部３２の変調方式に対応する復調方式により復調する。制御部４５は、復調された要求信号を基に、ROM（Read Only Memory）４６からデータを読み込み（取得し）、読み込んだデータを変調部４３に供給する。ROM４６は、各種のデータ（例えば、ＲＦタグ１２に対応するボタン７１に関係する説明文書データ）を記憶している。
【００６５】
変調部４３は、制御部４５から供給されたデータを所定の方式により変調し、変調したデータをアンテナ４１に供給する。アンテナ４１は、変調されたデータを、無線通信により、リーダ１１あてに送信する。
【００６６】
リーダ１１のアンテナ３１は、ＲＦタグ１２から送信されてきたデータを受信し、復調部３３は、受信されたデータを、変調部４３の変調方式に対応する復調方式により復調する。
【００６７】
例えば、アンテナ３１およびアンテナ４１が電磁結合する場合、変調部４３は、送信するデータに応じて、アンテナ４１の負荷を時間的に変化させる。すると、アンテナ３１には、データに応じた、時間的に変化する起電力（電圧）が生じることになる。復調部３３は、アンテナ３１に生じた時間的に変化する電圧からなる信号を復調して、復調することにより得られたデータを記録部３５に供給する。
【００６８】
記録部３５は、復調部３３によって復調されたデータを記録し、制御部３４は、記録部３５から、記録部３５に記録されているデータを読み出して、読み出したデータを出力部３６に供給する。出力部３６は、制御部３４から供給されたデータを基に、画像を表示する。
【００６９】
このようにして、リーダ１１およびＲＦタグ１２は、無線通信を行い、リーダ１１は、所望のデータをＲＦタグ１２から受信する。
【００７０】
なお、本実施の形態では、リーダ１１とＲＦタグ１２が電磁結合を介して通信を行うようにしたが、これに限らず、RFIDと同様の原理に基づく通信方式であれば、他の媒体を介してもよい。
【００７１】
図２は、本発明に係る機器を説明する図である。なお、ここでいう機器とは、再生装置、記録装置、または測定装置など、ボタン、スイッチ、レバー、およびユーザとのインターフェースなどの、ユーザにより操作される操作箇所を備えている機器であれば、どのような機器であってもよい。
【００７２】
機器６１は、操作箇所（部位）の一例であるボタン７１−１乃至ボタン７１−４を備えている。また、機器６１は、ボタン７１−１乃至ボタン７１−４のそれぞれの近傍に、ボタン７１−１乃至ボタン７１−４のそれぞれに対応するＲＦタグ１２−１乃至ＲＦタグ１２−４のそれぞれを備えている。
【００７３】
すなわち、ボタン７１−１に対応するＲＦタグ１２−１は、ボタン７１−１の近傍に配置され、ボタン７１−１に関係する情報を記憶している。同様に、ボタン７１−２に対応するＲＦタグ１２−２は、ボタン７１−２の近傍に配置され、ボタン７１−２に関係する情報を記憶している。また、ボタン７１−３に対応するＲＦタグ１２−３は、ボタン７１−３の近傍に配置され、ボタン７１−３に関係する情報を記憶しており、ボタン７１−４に対応するＲＦタグ１２−４は、ボタン７１−４の近傍に配置され、ボタン７１−４に関係する情報を記憶している。
【００７４】
以下、ボタン７１−１乃至ボタン７１−４のそれぞれを個々に区別する必要のないとき、単にボタン７１と称する。また、以下、ＲＦタグ１２−１乃至ＲＦタグ１２−４のそれぞれを個々に区別する必要のないとき、単にＲＦタグ１２と称する。
【００７５】
さらに、以下、ＲＦタグ１２に記憶されている情報のうち、例えば、ボタン７１などの部位を説明する情報を、説明文書データと称する。この説明文書データには、例えば、ＲＦタグ１２に対応するボタン７１を説明するテキストデータ、画像データ、音声データ、および他のＲＦタグ１２との相互の関連を示すメタデータなどが含まれている。
【００７６】
なお、ボタン７１に対応するＲＦタグ１２は、ボタン７１の近傍に限らず、ボタン７１そのものに組み込むようにしてもよい。また、ボタン７１に限らず、スイッチ、レバー、およびユーザとのインターフェースなど、ユーザによって操作されるかまたはユーザによって扱われる所望の操作箇所にＲＦタグ１２を配置してもよい。ＲＦタグ１２が配置される位置は、操作の対象となる部位そのものまたは近傍であれば足りる。
【００７７】
図３は、本発明に係る無線通信システムの一実施の形態を示す図である。なお、図中、図２における場合と対応する部分については、同一の符号を付してあり、繰り返しになるので、以下では、その説明は、適宜省略する。
【００７８】
リーダ１１は、アンテナ３１および例えば、ディスプレイ（表示装置）である出力部３６を備えている。リーダ１１は、アンテナ３１を介して、機器６１のＲＦタグ１２から送信されてきた、説明文書データを受信し、受信した説明文書データを基に、操作または取り扱いを説明するための画像をディスプレイである出力部３６に表示する。
【００７９】
したがって、例えば、ボタン７１−４に関係する情報として、ボタン７１−４の操作、機能、または取り扱いを説明するための文または画像をディスプレイである出力部３６に表示させたい場合、ユーザは、リーダ１１をボタン７１−４に近づける。これに対し、リーダ１１は、説明文書データの送信を要求する旨の要求信号を、アンテナ３１を介して、ＲＦタグ１２−４あてに送信する。
【００８０】
ボタン７１−４そのもの、またはその近傍に設けられているＲＦタグ１２−４は、リーダ１１から送信されてきた要求信号を受信する。ＲＦタグ１２−４は、要求信号を受信すると、ボタン７１−４に関係する情報である、記憶している説明文書データを、無線通信により、リーダ１１あてに送信する。
【００８１】
リーダ１１は、アンテナ３１を介して、ＲＦタグ１２−４から送信されてきた説明文書データを受信し、受信した説明文書データを基に、ボタン７１−４に関係する情報として、ボタン７１−４の操作、機能、または取り扱いを示す画像または文をディスプレイである出力部３６に表示する。
【００８２】
このようにして、リーダ１１は、所望のボタン７１に対応する説明文書データを機器６１から受信し、受信した説明文書データを基に、ボタン７１に関係する情報（例えば、操作、機能、または取り扱いを示す画像または文）をディスプレイである出力部３６に表示する。
【００８３】
ユーザは、説明が必要な機器の部位に、リーダ１１を近づけるだけで、リーダ１１にその部位に関する情報が表示されるので、その機器の機能やその部位の名称を知らなくても、所望の部位に関係する情報を知ることができる。面倒な操作を必要とせず、簡単な操作で、ユーザは、機器の所望の部位について、迅速に必要な情報を取得することができる。
【００８４】
図４は、リーダ１１のより詳細な機能の構成を示すブロック図である。
【００８５】
リーダ１１は、より詳細には、アンテナ３１、変調部３２、復調部３３、記録部３５、出力部３６、CPU（Central Processing Unit）１０１、ROM１０２、RAM（Random Access Memory）１０３、バス１０４、入出力インターフェース１０５、SPU（Signal Processing Unit）１０６、および発振回路１０７を含むように構成される。
【００８６】
制御部３４は、汎用の組み込み型のマイクロプロセッサまたは専用ＩＣなどからなり、CPU１０１、ROM１０２、RAM１０３、およびバス１０４を含むように構成される。CPU１０１は、ROM１０２に記憶されているプログラム、または記録部３５からロードされRAM１０３に記憶されているプログラムを実行し、リーダ１１全体を制御する。
【００８７】
ROM１０２は、CPU１０１が実行するプログラムや各種のデータを記憶している。
【００８８】
RAM１０３は、CPU１０１が実行するプログラムやデータを適宜記憶する。CPU１０１、ROM１０２、RAM１０３、およびSPU１０６は、バス１０４を介して相互に接続されている。
【００８９】
また、バス１０４には、入出力インターフェース１０５が接続されている。入出力インターフェース１０５には、記録部３５および出力部３６が接続されている。
【００９０】
制御部３４は、説明文書データの送信を要求する旨の要求信号を生成し、生成した要求信号を、SPU１０６に供給する。また、制御部３４は、記録部３５に記録されている説明文書データを取得し、取得した説明文書データを出力部３６に供給する。そして、制御部３４（CPU１０１）は、出力部３６を制御し、供給した説明文書データに基づく画像を表示させる。
【００９１】
記録部３５は、書き換え可能で、電源が遮断されても記録内容を保持できる、いわゆる不揮発性の記憶媒体または記録媒体からなり、例えば、フラッシュメモリまたはハードディスクなどで構成される。記録部３５は、CPU１０１が実行するプログラムや各種のデータを記録する。また、記録部３５は、SPU１０６から供給された説明文書データを記録する。記録部３５は、記録している説明文書データを制御部３４に供給する。
【００９２】
出力部３６は、液晶表示装置または有機ＥＬ（Electro Luminescence）表示装置などのディスプレイ、スピーカ、およびランプなどより構成される。出力部３６は、制御部３４から供給された説明文書データを基に、文または画像などを表示するか、音声を出力し、さらにまた、発光する。
【００９３】
送信部８１は、アンテナ３１、変調部３２、SPU１０６、および発振回路１０７を含むように構成され、無線通信により、各種データを送信する。また、受信部８２は、アンテナ３１、復調部３３、SPU１０６を含むように構成され、無線通信により、各種データを受信する。
【００９４】
SPU１０６は、制御部３４から供給された要求信号を、所定の方式により符号化し、符号化した要求信号を変調部３２に供給する。また、SPU１０６は、復調部３３から供給された説明文書データを、説明文書データの符号化方式に対応する復号方式により復号し、復号した説明文書データを制御部３４または記録部３５に供給する。
【００９５】
例えば、SPU１０６は、ＲＦタグ１２からのデータが復調部３３から供給されてきた場合、そのデータに対して、例えば、マンチェスターコードのデコードなどの復号処理を施し、これにより得られたデータを、バス１０４を介してCPU１０１に供給する。また、SPU１０６は、ＲＦタグ１２に送信する要求信号がバス１０４を介して供給されてきた場合、その要求信号にマンチェスターコードへのコーディングなどの符号化処理を施し、これにより得られた信号を変調部３２に出力する。
【００９６】
発振回路１０７は、所定の周波数の、基準となるクロック信号を生成し、生成したクロック信号を変調部３２に供給する。
【００９７】
変調部３２は、発振回路１０７から供給された所定の周波数のクロック信号を基に、搬送波を生成する。変調部３２は、搬送波に基づいて、SPU１０６から供給された要求信号を所定の方式により変調することにより変調した要求信号を生成し、変調した要求信号をアンテナ３１に供給する。例えば、変調部３２は、SPU１０６から供給された要求信号に基づいて、搬送波の位相、振幅、周波数などを変化させることにより変調した要求信号を生成する。
【００９８】
より具体的には、例えば、変調部３２は、発振回路１０７から供給される13.56MHzの周波数のクロック信号を搬送波として、SPU１０６より供給されるデータをPSK（Phase Shift Keying）変調し、生成された変調波を、電磁波としてアンテナ３１から出力させる。
【００９９】
アンテナ３１は、変調部３２から供給された要求信号を、無線通信により、ＲＦタグ１２あてに送信する。すなわち、例えば、アンテナ３１は、変調部３２から供給された要求信号を伝送するための電波を輻射する。また、アンテナ３１は、ＲＦタグ１２から送信されてきた説明文書データを受信し、受信した説明文書データを復調部３３に供給する。
【０１００】
復調部３３は、アンテナ３１から供給された説明文書データを、変調部４３の変調方式に対応する復調方式により復調し、復調した説明文書データをSPU１０６に供給する。例えば、復調部３３は、アンテナ３１を介して取得した変調波（PSK変調波）を復調し、復調されたデータをSPU１０６に出力する。
【０１０１】
図５は、ＲＦタグ１２のより詳細な機能の構成を示すブロック図である。
【０１０２】
ＲＦタグ１２は、より詳細には、アンテナ４１、電力発生部４２、変調部４３、復調部４４、ROM４６、SPU１１１、バス１１２、CPU１１３、RAM１１４、および発振回路１１５を含むように構成される。
【０１０３】
送信部１２１は、アンテナ４１、変調部４３、SPU１１１、および発振回路１１５を含むように構成され、無線通信により、各種データを送信する。また、受信部１２２は、アンテナ４１、復調部４４、SPU１１１を含むように構成され、無線通信により、各種データを受信する。
【０１０４】
アンテナ４１は、リーダ１１から送信されてきた要求信号を受信し、受信した要求信号を復調部４４に供給する。また、アンテナ４１は、変調部４３から供給された説明文書データを、無線通信により、リーダ１１あてに送信する。すなわち、例えば、アンテナ４１は、変調部４３から供給された説明文書データを伝送するための電波を輻射する。また、アンテナ４１においては、リーダ１１から輻射される所定の周波数の電波により、共振が生じ、起電力が発生する。
【０１０５】
電力発生部４２は、アンテナ４１に生じた交流の起電力を基に、直流電力を発生させ、発生させた直流電力をＲＦタグ１２の各部に供給する。なお、電力発生部４２に代えて、電池を内蔵し、内蔵されている電池がＲＦタグ１２の各部に電力を供給するようにしてもよい。
【０１０６】
復調部４４は、アンテナ４１から供給された要求信号を、リーダ１１の変調部３２の変調方式に対応する復調方式により復調し、復調した要求信号をSPU１１１に供給する。例えば、復調部４４は、アンテナ４１を介して受信したPSK変調波である要求信号を包絡線検波して復調し、復調後の要求信号をSPU１１１に出力する。
【０１０７】
SPU１１１は、復調部４４から供給された要求信号を所定の方式により復号し、復号した要求信号を制御部４５に供給する。SPU１１１は、制御部４５から供給された説明文書データを、所定の符号化方式により符号化し、符号化した説明文書データを変調部４３に供給する。例えば、SPU１１１は、復調部４４で復調されたデータがマンチェスター方式で符号化されている場合、図示せぬPLL（Phase Locked Loop）回路から供給されるクロック信号に基づいて、そのデータの復号（マンチェスターコードのデコード）を行い、復号したデータを制御部４５に供給する。例えば、SPU１１１は、制御部４５から供給された説明文書データをマンチェスター方式で符号化し、マンチェスター方式で符号化した説明文書データを変調部４３に供給する。
【０１０８】
発振回路１１５は、アンテナ４１が受信する要求信号の周波数と同じ周波数のクロック信号を生成し、生成したクロック信号を変調部４３に供給する。例えば、発振回路１１５はPLL回路を内蔵し、要求信号のクロック周波数と同一の周波数のクロック信号を発生する。
【０１０９】
変調部４３は、発振回路１１５から供給された所定の周波数のクロック信号を基に、搬送波を生成する。変調部４３は、搬送波に基づいて、SPU１１１から供給された説明文書データを、所定の方式により変調することにより変調した説明文書データを生成し、変調した説明文書データをアンテナ４１に供給する。例えば、変調部４３は、SPU１１１より供給された、マンチェスター方式で符号化された説明文書データをさらにPSK変調し、変調した説明文書データを、アンテナ４１を介してリーダ１１に送信する。
【０１１０】
また、例えば、変調部４３は、SPU１１１から供給される説明文書データに対応して、例えば、所定のスイッチング素子（図示せず）をオン／オフさせ、スイッチング素子がオン状態であるときだけ、所定の負荷をアンテナ４１に並列に接続させることにより、アンテナ４１の負荷を変動させる。PSK変調された説明文書データは、アンテナ４１の負荷の変動により、アンテナ４１を介してリーダ１１に送信される（リーダ１１のアンテナ３１の端子電圧を変動させる）（ロードスイッチング方式）。
【０１１１】
より詳細には、制御部４５は、CPU１１３、ROM４６、RAM１１４、およびバス１１２を含むように構成される。CPU１１３は、ROM４６に記憶されているプログラムに従って、各種の処理を実行する。
【０１１２】
ROM４６は、CPU１１３が実行するプログラムや各種のデータを記憶している。また、ROM４６は、ＲＦタグ１２に対応するボタン７１に関係する説明文書データを記憶している。なお、ROM４６は、例えば、マスクROM、フラッシュメモリ、EPROM（Erasable Programmable Read Only Memory）、またはEEPROM（Electrically Erasable Programmable Read Only Memory）などの不揮発性のメモリとすることができる。
【０１１３】
RAM１１４は、プログラムの実行に必要なデータを適宜記憶する。SPU１１１、CPU１１３、ROM４６、およびRAM１１４は、バス１１２を介して、相互に接続されている。
【０１１４】
例えば、制御部４５のCPU１１３は、SPU１１１から供給された要求信号を基に、制御部４５のROM４６に記憶されている説明文書データを読み込み（取得し）、バス１１２を介して、取得した説明文書データをSPU１１１に供給する。
【０１１５】
次に、図６のフローチャートを参照して、画像表示プログラムを実行するリーダ１１による説明文書データの要求の処理、および送信プログラムを実行するＲＦタグ１２による応答の処理について説明する。
【０１１６】
ステップＳ１１において、リーダ１１は、要求信号の送信の処理を行う。なお、要求信号の送信の処理の詳細は、図７を参照して後述するが、要求信号の送信の処理において、説明文書データの送信を要求する旨の要求信号が生成され、生成された要求信号が、無線通信により、ＲＦタグ１２あてに送信される。
【０１１７】
ステップＳ２１において、ＲＦタグ１２は、要求信号の受信の処理を行う。なお、要求信号の受信の処理の詳細は、図８を参照して後述するが、要求信号の受信の処理において、ＲＦタグ１２は、リーダ１１から送信されてきた要求信号を受信する。
【０１１８】
ステップＳ２２において、ＲＦタグ１２は、説明文書データの送信の処理を行い、応答の処理は、終了する。なお、説明文書データの送信の処理の詳細は、図９を参照して後述するが、説明文書データの送信の処理において、ＲＦタグ１２は、無線通信により、リーダ１１あてに説明文書データを送信する。
【０１１９】
ステップＳ２２の処理において、ＲＦタグ１２から説明文書データが送信されてくるので、ステップＳ１２において、リーダ１１のアンテナ３１は、ＲＦタグ１２から送信されてきた説明文書データを受信する。アンテナ３１は、受信した説明文書データを復調部３３に供給する。なお、ステップＳ１１の要求信号の送信の処理は、ＲＦタグ１２から説明文書データが送信されてくるまで繰り返される。
【０１２０】
ステップＳ１３において、復調部３３は、アンテナ３１に受信されて、アンテナ３１から供給された説明文書データを所定の方式で復調する。復調部３３は、復調した説明文書データをSPU１０６に供給する。
【０１２１】
例えば、ステップＳ１３において、復調部３３は、PSK復調方式により説明文書データを復調し、復調した説明文書データをSPU１０６に供給する。また、PSK復調方式の他に、ASK（Amplitude Shift Keying）方式またはFSK（Frequency Shift Keying）方式などの復調方式により復調するようにしてもよい。
【０１２２】
ステップＳ１４において、SPU１０６は、復調部３３から供給された説明文書データを、所定の復号方式により復号し、復号した説明文書データを、バス１０４および入出力インターフェース１０５を介して、制御部３４または記録部３５に供給する。記録部３５は、SPU１０６から供給された説明文書データを記録する。
【０１２３】
例えば、ステップＳ１４において、SPU１０６は、復調部３３から供給された説明文書データを、マンチェスター方式などの復号方式により復号し、復号した説明文書データを、バス１０４および入出力インターフェース１０５を介して、制御部３４または記録部３５に供給する。
【０１２４】
ステップＳ１５において、制御部３４は、SPU１０６から説明文書データを取得するか、記録部３５に記録されている説明文書データを取得し、取得した説明文書データを出力部３６に供給する。
【０１２５】
より詳細には、ステップＳ１５において、CPU１０１は、記録部３５から記録部３５に記録されている説明文書データを読み出して、読み出した説明文書データを出力部３６に供給し、  
【０１２６】
ステップＳ１６において、CPU１０１（制御部３４）は、ディスプレイである出力部３６に、説明文書データに基づく文または画像を表示させる。そして、説明文書データの要求の処理は、終了する。ここで、ディスプレイである出力部３６に表示される文または画像は、例えば、説明文書データを記憶しているＲＦタグ１２に対応する、ボタン７１の説明を示す文または画像である。
【０１２７】
なお、リーダ１１がＲＦタグ１２あてに要求信号を送信してから、所定の期間を経過しても、ステップＳ１２において、アンテナ３１が説明文書データを受信しなかった場合、アンテナ３１が受信に失敗した場合、または復調部３３が復調に失敗した場合に、ステップＳ１１に戻るようにしてもよい。
【０１２８】
このようにして、ＲＦタグ１２は、リーダ１１から送信されてきた要求信号を受信し、説明文書データをリーダ１１あてに送信する。また、リーダ１１は、ＲＦタグ１２から送信されてきた説明文書データを受信し、受信した説明文書データを基に、ＲＦタグ１２に対応するボタン７１に関係する情報をディスプレイである出力部３６に表示する。
【０１２９】
図７のフローチャートを参照して、図６のステップＳ１１の処理に対応する、要求信号の送信の処理を説明する。
【０１３０】
ステップＳ４１において、制御部３４は、説明文書データの送信を要求する旨の要求信号を生成し、生成した要求信号をSPU１０６に供給する。より詳細には、ステップＳ４１において、CPU１０１は、説明文書データの送信を要求する旨の要求信号を生成し、生成した要求信号を、バス１０４を介してSPU１０６に供給する。
【０１３１】
ステップＳ４２において、SPU１０６は、制御部３４から供給された要求信号を、所定の符号化方式により符号化する。SPU１０６は、符号化した要求信号を変調部３２に供給する。例えば、ステップＳ４２において、SPU１０６は、制御部３４から供給された要求信号を、マンチェスター方式などの符号化方式により符号化し、符号化した要求信号を、変調部３２に供給する。
【０１３２】
ステップＳ４３において、変調部３２は、要求信号を変調する。例えば、ステップＳ４３において、変調部３２は、発振回路１０７から供給されたクロック信号に対応する、所定の周波数（例えば、13.56MHｚ）の搬送波に基づいて、SPU１０６から供給された要求信号を、所定の方式により変調する。変調部３２は、変調した要求信号をアンテナ３１に供給する。
【０１３３】
より詳細には、例えば、ステップＳ４３において、変調部３２は、クロック信号に対応して生成した搬送波を基に、SPU１０６から供給された要求信号を、PSK方式、ASK方式、またはFSK方式などの変調方式により変調し、変調した要求信号をアンテナ３１に供給する。
【０１３４】
ステップＳ４４において、アンテナ３１は、変調部３２から供給された要求信号を、無線通信により、ＲＦタグ１２あてに送信し、処理は終了する。例えば、ステップＳ４４において、アンテナ３１は、変調部３２から供給された要求信号を伝送する電波を、輻射することにより要求信号を送信する。
【０１３５】
このようにして、リーダ１１は、要求信号を生成し、生成した要求信号を、無線通信によりＲＦタグ１２あてに送信する。
【０１３６】
次に、図８を参照して、図６のステップＳ２１の処理に対応する、要求信号の受信の処理を説明する。
【０１３７】
リーダ１１が、要求信号を送信するために電波を輻射すると、アンテナ４１において、交流の起電力が発生するので、ステップＳ６１において、電力発生部４２は、アンテナ４１において生じた起電力を基に、直流電力を発生させる。例えば、ステップＳ６１において、電力発生部４２は、ループアンテナであるアンテナ４１を通る交流磁界により発生するアンテナ４１の交流電流を整流し、整流した電流を安定化させることにより、直流電力を発生させる。
【０１３８】
ステップＳ６２において、電力発生部４２は、発生させた直流電力を、ＲＦタグ１２の各部に供給する。
【０１３９】
ステップＳ６３において、アンテナ４１は、リーダ１１から送信されてきた要求信号を受信し、受信した要求信号を復調部４４に供給する。
【０１４０】
ステップＳ６４において、復調部４４は、アンテナ４１から供給された要求信号を、変調部３２の変調方式に対応する復調方式により復調し、復調した要求信号を、SPU１１１に供給する。
【０１４１】
ステップＳ６５において、SPU１１１は、復調部４４から供給された要求信号を、SPU１０６の符号化方式に対応する復号方式により復号し、復号した要求信号を制御部４５に供給し、処理は終了する。
【０１４２】
このようにして、ＲＦタグ１２は、リーダ１１から送信されてきた要求信号を受信する。
【０１４３】
図９を参照して、リーダ１１から送信されてきた要求信号を受信したＲＦタグ１２により実行される、図６のステップＳ２２の処理に対応する説明文書データの送信の処理を説明する。
【０１４４】
ステップＳ８１において、制御部４５は、説明文書データを取得する。例えば、ステップＳ８１において、制御部４５は、SPU１１１から供給された要求信号を基に、制御部４５のROM４６の、要求信号で示されているアドレスの領域に記憶されている説明文書データを読み出すことにより、説明文書データを取得し、取得した説明文書データをSPU１１１に供給する。ここで、説明文書データは、例えば、ＲＦタグ１２に対応するボタン７１の説明を表示させるためのテキストデータまたは画像データである。
【０１４５】
ステップＳ８２において、SPU１１１は、制御部４５から供給された説明文書データを、符号化する。例えば、SPU１１１は、制御部４５から供給された説明文書データを、マンチェスター方式により符号化し、符号化した説明文書データを変調部４３に供給する。
【０１４６】
ステップＳ８３において、変調部４３は、説明文書データを変調する。例えば、ステップＳ８３において、変調部４３は、発振回路１１５から供給されたクロック信号により生成した搬送波を基に、SPU１１１から供給された説明文書データをPSK方式により変調し、変調した説明文書データを、アンテナ４１に供給する。
【０１４７】
ステップＳ８４において、アンテナ４１は、変調部４３から供給された変調されている説明文書データを、無線通信により、リーダ１１あてに送信し、処理は終了する。例えば、ステップＳ８４において、アンテナ４１は、変調部４３から供給された、変調された説明文書データを伝送する電波を、輻射することにより説明文書データを送信する。
【０１４８】
このようにして、ＲＦタグ１２は、リーダ１１から要求信号を受信すると、説明文書データを、無線通信により、リーダ１１あてに送信する。
【０１４９】
以上のように、リーダ１１は、ＲＦタグ１２から、ボタン７１に対応する説明文書データを受信することによって、所望のボタン７１に関係する情報を得ることができる。
【０１５０】
第１の本発明によれば、機器にＲＦタグを設けたので、機器に関係する情報を得ることができる。また、第１の本発明によれば、機器の各操作箇所に対応するＲＦタグを設け、各操作箇所に関係する情報を記録するようにしたので、情報を検索する労力を軽減させ、より迅速に必要な情報を得ることができる。
【０１５１】
また、第２の本発明によれば、機器に関係する情報を受信するようにしたので、機器に関係する情報を表示することができる。また、第２の本発明によれば、機器の操作箇所に関係する情報を受信するようにしたので、情報を検索する労力を軽減させ、より迅速に必要な情報を得ることができる。
【０１５２】
次に、本発明の第２の実施の形態について、説明する。
【０１５３】
図１０は、本発明に係る無線通信システムの一実施の形態を示す図である。なお、図中、図２における場合と対応する部分については、同一の符号を付してあり、繰り返しになるので、以下では、その説明は、適宜省略する。
【０１５４】
リーダ１３１は、PDA（Personal Digital Assistants）１３３に装着されている。リーダ１３１は、アンテナ１３２を備え、アンテナ１３２を介して、機器６１のＲＦタグ１２から送信されてきた、説明文書データを受信する。リーダ１３１は、受信した説明文書データをPDA１３３に供給（送信）する。
【０１５５】
PDA１３３は、ディスプレイである出力部１３４を備え、リーダ１３１から供給された説明文書データを基に、ディスプレイである出力部１３４の表示領域である領域１３５に、機器６１の取り扱いを説明する画像を表示する。
【０１５６】
したがって、例えば、ボタン７１−４に関係する情報として、ボタン７１−４の操作、機能、または取り扱いを説明するための画像または文をディスプレイである出力部１３４に表示させたい場合、ユーザは、リーダ１３１をボタン７１−４に近づける。これに対して、リーダ１３１は、アンテナ１３２を介して、要求信号をＲＦタグ１２−４あてに送信する。
【０１５７】
そして、ＲＦタグ１２−４は、リーダ１３１から送信されてきた要求信号を受信する。ＲＦタグ１２−４は、要求信号を受信すると、記憶している説明文書データを、無線通信により、リーダ１３１あてに送信する。
【０１５８】
リーダ１３１は、アンテナ１３２を介して、ＲＦタグ１２から送信されてきた説明文書データを受信し、受信した説明文書データをPDA１３３に供給（送信）する。
【０１５９】
PDA１３３は、リーダ１３１から供給された説明文書データを基に、ボタン７１−４に関係する情報として、ボタン７１−４の操作、機能、または取り扱いを示す画像または文をディスプレイである出力部１３４の領域１３５に表示する。例えば、ボタン７１−４が、演奏を停止するための停止ボタンである場合、領域１３５には、停止ボタンを表すシンボル、ならびにボタン７１−４を説明する文字列“停止ボタン”および“押すと演奏を停止します。”が表示される。
【０１６０】
このようにして、リーダ１３１は、所望のボタン７１に対応する説明文書データを機器６１から受信し、受信した説明文書データをPDA１３３に供給する。そして、PDA１３３は、リーダ１３１から供給された説明文書データを基に、ボタン７１に関係する情報を、ディスプレイである出力部１３４に表示する。
【０１６１】
ユーザは、説明が必要な機器の部位に、リーダ１３１を近づけるだけで、PDA１３３にその部位に関係する情報が表示されるので、その機器の機能やその部位の名称を知らなくても、所望の部位に関係する情報を知ることができる。面倒な操作を必要とせず、簡単な操作で、ユーザは、機器の所望の部位について、迅速に必要な情報を取得することができる。
【０１６２】
図１１は、リーダ１３１の機能の構成を示すブロック図である。
【０１６３】
リーダ１３１は、アンテナ１３２、CPU１６１、ROM１６２、RAM１６３、バス１６４、入出力インターフェース１６５、記録部１６６、SPU１６７、発振回路１６８、変調部１６９、および復調部１７０を含むように構成される。
【０１６４】
なお、アンテナ１３２、CPU１６１、ROM１６２、RAM１６３、バス１６４、記録部１６６、SPU１６７、発振回路１６８、変調部１６９、および復調部１７０のそれぞれは、図４におけるアンテナ３１、CPU１０１、ROM１０２、RAM１０３、バス１０４、記録部３５、SPU１０６、発振回路１０７、変調部３２、および復調部３３のそれぞれと同様なので、その説明は、省略する。
【０１６５】
制御部１５１は、CPU１６１、ROM１６２、RAM１６３、およびバス１６４を含むように構成される。CPU１６１は、ROM１６２に記憶されているプログラムを実行し、リーダ１３１全体を制御する。
【０１６６】
制御部１５１は、説明文書データの送信を要求する旨の要求信号を生成し、生成した要求信号を、SPU１６７に供給する。また、制御部１５１は、記録部１６６に記録されている説明文書データを取得し、取得した説明文書データを、入出力インターフェース１６５を介して、PDA１３３に供給（送信）する。
【０１６７】
また、制御部１５１には、USB（Universal Serial Bus）またはIEEE（Institute of Electrical and Electronic Engineers）１３９４などのシリアルインターフェースまたはパラレルインターフェースである入出力インターフェース１６５を介して、PDA１３３が接続されている。入出力インターフェース１６５には、記録部１６６が接続されている。
【０１６８】
また、入出力インターフェース１６５には、バス１６４を介して、CPU１６１、ROM１６２、RAM１６３、およびSPU１６７が接続されている。
【０１６９】
送信部１５２は、アンテナ１３２、SPU１６７、発振回路１６８、および変調部１６９を含むように構成され、無線通信により、各種データを送信する。また、受信部１５３は、アンテナ１３２、SPU１６７、および復調部１７０を含むように構成され、無線通信により、各種データを受信する。
【０１７０】
なお、リーダ１３１からPDA１３３への各種データの送信は、シリアルインターフェースまたはパラレルインターフェースである入出力インターフェース１６５に限らず、その他、ＣＦ（Compact Flash（商標））カードなどを介して、データを送信するようにしてもよい。
【０１７１】
図１２は、PDA１３３の機能の構成を示すブロック図である。
【０１７２】
PDA１３３は、出力部１３４、CPU１９１、ROM１９２、RAM１９３、バス１９４、入出力インターフェース１９５、入力部１９６、および記録部１９７を含むように構成される。
【０１７３】
CPU１９１は、ROM１９２に記憶されているプログラム、または記録部１９７からロードされRAM１９３に記憶されているプログラムに従って各種の処理を実行する。CPU１９１は、リーダ１３１から説明文書データを取得するか、記録部１９７に記録されている説明文書データを取得し、取得した説明文書データを出力部１３４に供給する。そして、CPU１９１は、出力部１３４を制御し、供給した説明文書データに基づく画像を表示させる。
【０１７４】
ROM１９２は、CPU１９１が実行するプログラム、または固定のパラメータを記憶する。RAM１９３は、CPU１９１が実行するプログラムやプログラムの実行に必要なデータなどを適宜記憶する。これらのCPU１９１、ROM１９２、およびRAM１９３は、バス１９４により相互に接続されている。
【０１７５】
CPU１９１にはまた、バス１９４を介して入出力インターフェース１９５が接続されている。入出力インターフェース１９５には、キーボード、タッチパネル、スイッチなどよりなる入力部１９６、液晶表示装置またはＥＬ表示装置などのディスプレイ、スピーカ、ランプなどよりなる出力部１３４、ハードディスクドライブまたは半導体メモリなどの記録部１９７、およびリーダ１３１が接続されている。CPU１９１は、入力部１９６から入力される指令または装着されているリーダ１３１からの指令に対して各種の処理を実行する。
【０１７６】
入出力インターフェース１９５に接続されている出力部１３４は、CPU１９１から供給された説明文書データを基に、画像を表示するか、音声を出力し、さらにまた、発光する。
【０１７７】
記録部１９７は、例えば、半導体メモリまたはハードディスクなどで構成される。記録部１９７は、CPU１９１が実行するプログラムや各種のデータを記録する。また、記録部１９７は、リーダ１３１から送信されてきた説明文書データを記録する。記録部１９７は、記録している説明文書データをCPU１９１に供給する。
【０１７８】
次に、図１３のフローチャートを参照して、画像表示プログラムを実行するPDA１３３による、画像の表示の処理、説明文書データ受信プログラムを実行するリーダ１３１による、説明文書データの要求の処理、および送信プログラムを実行するＲＦタグ１２による、応答の処理について説明する。
【０１７９】
ステップＳ１０１において、リーダ１３１は、要求信号の送信の処理を行う。ステップＳ１０１における要求信号の送信の処理は、図７のフローチャートを参照して説明した処理と同様なので、その説明は省略する。なお、要求信号の送信の処理において、無線通信により、ＲＦタグ１２あてに要求信号が送信される。
【０１８０】
ステップＳ１２１において、ＲＦタグ１２は、要求信号の受信の処理を行う。ステップＳ１２１における要求信号の受信の処理は、図８のフローチャートを参照して説明した処理と同様なので、その説明は省略する。なお、要求信号の受信の処理において、ＲＦタグ１２は、リーダ１３１から送信されてきた要求信号を受信する。
【０１８１】
ステップＳ１２２において、ＲＦタグ１２は、説明文書データの送信の処理を行い、応答の処理は、終了する。ステップＳ１２２における説明文書データの送信の処理は、図９のフローチャートを参照して説明した処理と同様なので、その説明は省略する。なお、説明文書データの送信の処理において、ＲＦタグ１２は、無線通信により、リーダ１３１あてに説明文書データを送信する。
【０１８２】
ステップＳ１０２の処理およびステップＳ１０３の処理は、図６におけるステップＳ１２の処理およびステップＳ１３の処理と同様なので、その説明は省略する。
【０１８３】
ステップＳ１０４において、SPU１６７は、復調部１７０から供給された説明文書データを、所定の復号方式により復号し、復号した説明文書データを、制御部１５１に供給する。
【０１８４】
例えば、ステップＳ１０４において、SPU１６７は、復調部１７０から供給された説明文書データを、マンチェスター方式などの復号方式により復号し、復号した説明文書データを、制御部１５１に供給する。
【０１８５】
ステップＳ１０５において、制御部１５１は、供給された説明文書データを、入出力インターフェース１６５を介して、PDA１３３に送信し、説明文書データの要求の処理は、終了する。
【０１８６】
ステップＳ１４１において、PDA１３３の入出力インターフェース１９５は、リーダ１３１から供給された説明文書データを受信する。入出力インターフェース１９５は、受信した説明文書データをCPU１９１または記録部１９７に供給する。また、記録部１９７は、受信した説明文書データを記録する。
【０１８７】
ステップＳ１４２において、CPU１９１は、入出力インターフェース１９５から説明文書データを取得する。
【０１８８】
ステップＳ１４３において、CPU１９１は、取得した説明文書データを出力部１３４に供給し、出力部１３４に画像または文を表示させ、画像の表示の処理は終了する。例えば、ディスプレイである出力部１３４は、CPU１９１から供給された説明文書データを基に（CPU１９１からの制御に基づいて）、機器６１の取り扱いを説明するための画像を表示する。ここで、ディスプレイである出力部１３４の領域１３５には、例えば、図１０で示すように、停止ボタンを表すシンボル、並びに停止ボタンであるボタン７１−４を説明する文字列“停止ボタン”および“押すと演奏を停止します。”が表示される。
【０１８９】
このようにして、ＲＦタグ１２は、リーダ１３１から送信されてきた要求信号を受信し、説明文書データを、無線通信により、リーダ１３１あてに送信する。また、リーダ１３１は、ＲＦタグ１２から送信されてきた説明文書データを受信し、受信した説明文書データをPDA１３３に供給する。そして、PDA１３３は、リーダ１３１から供給された説明文書データを基に、機器６１の取り扱いを説明するための画像を表示する。
【０１９０】
以上のように、リーダ１３１は、ＲＦタグ１２から、ボタン７１に関係する説明文書データを受信し、受信した説明文書データをPDA１３３に供給する。そして、PDA１３３が、供給された説明文書データを基に、画像を表示することによって、ユーザは、機器６１の所望のボタン７１に関係する情報を得ることができる。
【０１９１】
第１の本発明によれば、機器にＲＦタグを設けたので、機器に関係する情報を得ることができる。また、第１の本発明によれば、機器の各操作箇所に対応するＲＦタグを設け、各操作箇所に関係する情報を記録するようにしたので、情報を検索する労力を軽減させ、より迅速に必要な情報を得ることができる。
【０１９２】
また、第２の本発明によれば、機器に関係する情報を受信するようにしたので、機器に関係する情報を表示することができる。また、第２の本発明によれば、機器の操作箇所に関係する情報を受信するようにしたので、情報を検索する労力を軽減させ、より迅速に必要な情報を得ることができる。
【０１９３】
次に、本発明の第３の実施の形態について、説明する。
【０１９４】
図１４は、本発明に係る無線通信システムの一実施の形態を示す図である。なお、図中、図１０における場合と対応する部分については、同一の符号を付してあり、繰り返しになるので、以下では、その説明は、適宜省略する。
【０１９５】
機器２１１は、操作箇所（部位）の一例であるボタン２２１−１乃至ボタン２２１−４を備えている。また、機器２１１は、ボタン２２１−１乃至ボタン２２１−４のそれぞれの近傍に、ボタン２２１−１乃至ボタン２２１−４のそれぞれに対応するＲＦタグ２２２−１乃至ＲＦタグ２２２−４のそれぞれを備えている。ＲＦタグ２２２−１乃至ＲＦタグ２２２−４のそれぞれは、自分自身を識別するための情報（以下、適宜、識別情報と称する）を記憶している。
【０１９６】
以下、ボタン２２１−１乃至ボタン２２１−４を個々に区別する必要のないとき、単にボタン２２１と称する。同様に、以下、ＲＦタグ２２２−１乃至ＲＦタグ２２２−４を個々に区別する必要のないとき、単にＲＦタグ２２２と称する。
【０１９７】
ＲＦタグ２２２は、リーダ２１２から送信されてきた要求信号を受信する。ＲＦタグ２２２は、要求信号を受信すると、応答信号を生成し、生成した応答信号を無線通信により、リーダ２１２あてに送信する。なお、応答信号には、ＲＦタグ２２２を識別するための識別情報が含まれている。
【０１９８】
リーダ２１２は、PDA１３３に装着されている。リーダ２１２は、アンテナ２２３を備え、アンテナ２２３を介して、機器２１１のＲＦタグ２２２から送信されてきた、応答信号を受信する。そして、リーダ２１２は、受信した応答信号を基に、予め記録している説明文書データを検索する。リーダ２１２は、検索した説明文書データを取得し、取得した説明文書データをPDA１３３に供給（送信）する。
【０１９９】
PDA１３３は、ディスプレイである出力部１３４を備え、リーダ１３１から供給された説明文書データを基に、ディスプレイである出力部１３４の表示領域である領域１３５および領域２２４に、機器２１１の取り扱いを説明する画像を表示する。
【０２００】
したがって、例えば、ボタン２２１−４に関係する情報として、ボタン２２１−４の操作、機能、または取り扱いを説明するための画像または文をディスプレイである出力部１３４に表示させたい場合、ユーザは、リーダ２１２をボタン２２１−４に近づける。リーダ２１２は、アンテナ２２３を介して、ＲＦタグ２２２−４あてに要求信号を送信する。
【０２０１】
ＲＦタグ２２２−４は、リーダ２１２から送信されてきた要求信号を受信する。ＲＦタグ２２２−４は、要求信号を受信すると、記憶している識別情報を含む応答信号を生成し、生成した応答信号を、無線通信により、リーダ２１２あてに送信する。
【０２０２】
リーダ２１２は、アンテナ２２３を介して、ＲＦタグ２２２−４から送信されてきた応答信号を受信し、受信した応答信号を基に、予め記録している説明文書データから、ボタン２２１−４に対応する説明文書データを検索する。リーダ２１２は、検索した、ボタン２２１−４に対応する説明文書データを取得し、取得した説明文書データをPDA１３３に供給する。
【０２０３】
PDA１３３は、リーダ１３１から供給された説明文書データを基に、ボタン２２１−４に関係する情報として、ボタン２２１−４の操作、機能、または取り扱いを示す画像または文をディスプレイである出力部１３４に表示する。例えば、ボタン２２１−４が、演奏を停止するための停止ボタンである場合、領域１３５には、停止ボタンを表すシンボル、ボタン２２１−４を説明する文字列“停止ボタン”および“押すと演奏を停止します。”、並びにボタン２２６が表示される。
【０２０４】
説明文書データによって出力部１３４に表示されたボタン２２６には、文字列“関連項目”が表示され、ユーザがタッチペン（いわゆるスタイラス）などを操作することにより、ボタン２２６を選択すると、領域１３５には、例えば、ボタン２２１−４と関連付けられたボタン２２１（例えば、ボタン２２１−１乃至ボタン２２１−３のうちの、少なくともいずれか１つのボタン）を説明する文字列が表示される。
【０２０５】
なお、ボタン２２１−４と関連付けられたボタン２２１が、複数個ある場合には、ボタン２２６が選択されたとき、領域１３５に、関連付けられた複数のボタン２２１のうち、いずれか１つのボタンを選択するためのメニュー項目を表示させるようにしてもよい。
【０２０６】
また、ディスプレイである出力部１３４の領域２２４には、機器２１１を表す画像が表示され、領域１３５に表示されている説明に対応するボタン２２１を指示する、矢印２２５が表示される。
【０２０７】
このようにして、リーダ２１２は、機器２１１から送信されてきた、応答信号を受信し、受信した応答信号を基に、説明文書データを検索する。また、リーダ２１２は、検索した説明文書データを取得し、取得した説明文書データをPDA１３３に供給する。そして、PDA１３３は、リーダ２１２から供給された説明文書データを基に、ディスプレイである出力部１３４に、ボタン２２１に関係する情報を表示する。
【０２０８】
ユーザは、説明が必要な機器の部位に、リーダ２１２を近づけるだけで、PDA１３３にその部位に関係する情報が表示されるので、その機器の機能やその部位の名称を知らなくても、所望の部位に関係する情報を知ることができる。面倒な操作を必要とせず、簡単な操作で、ユーザは、機器の所望の部位について、迅速に必要な情報を取得することができる。
【０２０９】
図１５は、リーダ２１２の機能の構成を示すブロック図である。
【０２１０】
リーダ２１２は、アンテナ２２３、CPU２５１、ROM２５２、RAM２５３、バス２５４、入出力インターフェース２５５、記録部２５６、SPU２５７、発振回路２５８、変調部２５９、および復調部２６０を含むように構成される。
【０２１１】
なお、CPU２５１、ROM２５２、RAM２５３、バス２５４、入出力インターフェース２５５、発振回路２５８、および変調部２５９のそれぞれは、図１１におけるCPU１６１、ROM１６２、RAM１６３、バス１６４、入出力インターフェース１６５、発振回路１６８、および変調部１６９のそれぞれと同様なので、その説明は、省略する。
【０２１２】
制御部２４１は、CPU２５１、ROM２５２、RAM２５３、およびバス２５４を含むように構成される。CPU２５１は、ROM２５２に記憶されているプログラムを実行し、リーダ２１２全体を制御する。
【０２１３】
制御部２４１は、応答信号の送信を要求する旨の要求信号を生成し、生成した要求信号を、SPU２５７に供給する。また、制御部２４１は、記録部２５６に記録されている、識別情報テーブルおよびSPU２５７から供給された応答信号を基に、応答信号に含まれる識別情報が示す、機器２１１のボタン２２１に対応する説明文書データを検索する。
【０２１４】
制御部２４１は、検索した説明文書データを記録部２５６から取得し、取得した説明文書データを、入出力インターフェース２５５を介して、PDA１３３に送信する。なお、識別情報および識別情報テーブルについての詳細は、図１８および図２０を参照して後述する。
【０２１５】
記録部２５６は、書き換え可能で、電源が遮断されても記録内容を保持できる、いわゆる不揮発性の記憶媒体または記録媒体からなり、例えば、フラッシュメモリまたはハードディスクなどで構成される。記録部２５６は、CPU２５１が実行するプログラムや各種のデータを記録する。記録部２５６は、識別情報テーブルを記録している。また、記録部２５６は、機器２１１のボタン２２１に対応する説明文書データを記録している。記録部２５６は、記録している説明文書データを制御部２４１に供給する。
【０２１６】
送信部２４２は、アンテナ２２３、SPU２５７、発振回路２５８、および変調部２５９を含むように構成され、無線通信により、各種データを送信する。また、受信部２４３は、アンテナ２２３、SPU２５７、および復調部２６０を含むように構成され、無線通信により、各種データを受信する。
【０２１７】
SPU２５７は、制御部２４１から供給された要求信号を、所定の方式により符号化し、符号化した要求信号を変調部２５９に供給する。また、SPU２５７は、復調部２６０から供給された応答信号を、符号化方式に対応する復号方式により復号し、復号した応答信号を制御部２４１に供給する。
【０２１８】
例えば、SPU２５７は、ＲＦタグ２２２からのデータが、復調部２６０から供給されてきた場合、そのデータに対して、例えば、マンチェスターコードのデコードなどの復号処理を施し、これにより得られたデータを、バス２５４を介してCPU２５１に供給する。また、SPU２５７は、ＲＦタグ２２２に送信する要求信号が、バス２５４を介して供給されてきた場合、その要求信号にマンチェスターコードへのコーディングなどの符号化処理を施し、これにより得られた信号を変調部２５９に出力する。
【０２１９】
アンテナ２２３は、変調部２５９から供給された要求信号を、無線通信により、ＲＦタグ２２２あてに送信する。すなわち、例えば、アンテナ２２３は、変調部２５９から供給された要求信号を伝送するための電波を輻射する。また、アンテナ２２３は、ＲＦタグ２２２から送信されてきた応答信号を受信し、受信した応答信号を復調部２６０に供給する。
【０２２０】
復調部２６０は、アンテナ２２３から供給された応答信号を、変調部３００の変調方式に対応する復調方式により復調し、復調した応答信号をSPU２５７に供給する。例えば、復調部２６０は、アンテナ２２３を介して取得した変調波（PSK変調波）を復調し、復調されたデータをSPU２５７に出力する。
【０２２１】
図１６は、ＲＦタグ２２２の機能の構成を示すブロック図である。
【０２２２】
ＲＦタグ２２２は、アンテナ２９１、電力発生部２９２、復調部２９３、SPU２９４、バス２９５、CPU２９６、ROM２９７、RAM２９８、発振回路２９９、および変調部３００を含むように構成される。
【０２２３】
なお、電力発生部２９２、復調部２９３、バス２９５、CPU２９６、RAM２９８、および発振回路２９９のそれぞれは、図５における電力発生部４２、復調部４４、バス１１２、CPU１１３、RAM１１４、および発振回路１１５のそれぞれと同様なので、その説明は、省略する。
【０２２４】
送信部２８２は、アンテナ２９１、SPU２９４、発振回路２９９、および変調部３００を含むように構成され、無線通信により、各種データを送信する。また、受信部２８３は、アンテナ２９１、復調部２９３、およびSPU２９４を含むように構成され、無線通信により、各種データを受信する。
【０２２５】
アンテナ２９１は、リーダ２１２から送信されてきた要求信号を受信し、受信した要求信号を復調部２９３に供給する。アンテナ２９１は、変調部３００から供給された応答信号を、無線通信網を介して、リーダ２１２あてに送信する。すなわち、例えば、アンテナ２９１は、変調部３００から供給された応答信号を伝送するための電波を輻射する。また、アンテナ２９１においては、リーダ２１２から輻射される所定の周波数の電波により、共振が生じ、起電力を発生させる。
【０２２６】
SPU２９４は、復調部２９３から供給された要求信号を所定の方式により復号し、復号した要求信号を制御部２８１に供給する。SPU２９４は、制御部２８１から供給された応答信号を、所定の符号化方式により符号化し、符号化した応答信号を変調部３００に供給する。例えば、SPU２９４は、復調部２９３で復調されたデータがマンチェスター方式で符号化されている場合、図示せぬPLL回路から供給されるクロック信号に基づいて、そのデータの復号（マンチェスターコードのデコード）を行い、復号したデータを制御部２８１に供給する。例えば、SPU２９４は、制御部２８１から供給された応答信号をマンチェスター方式で符号化し、マンチェスター方式で符号化した応答信号を変調部３００に供給する。
【０２２７】
制御部２８１は、CPU２９６、ROM２９７、RAM２９８、およびバス２９５を含むように構成される。CPU２９６は、ROM２９７に記憶されているプログラムに従って、各種の処理を実行する。
【０２２８】
ROM２９７は、CPU２９６が実行するプログラムや各種のデータを記憶している。また、ROM２９７は、ＲＦタグ２２２を識別するための識別情報を記憶している。なお、ROM２９７は、例えば、マスクROM、フラッシュメモリ、EPROM、またはEEPROMなどの不揮発性のメモリとすることができる。
【０２２９】
制御部２８１のCPU２９６は、SPU２９４から供給された要求信号を基に、制御部２８１のROM２９７に記憶されている識別情報を読み込み（取得し）、応答信号を生成する。制御部２８１のCPU２９６は、生成した応答信号をバス２９５を介してSPU２９４に供給する。
【０２３０】
変調部３００は、発振回路２９９から供給された所定の周波数のクロック信号を基に、搬送波を生成する。変調部３００は、SPU２９４から供給された応答信号を、搬送波を基に、所定の方式により変調することにより変調した応答信号を生成し、変調した応答信号をアンテナ２９１に供給する。例えば、変調部３００は、SPU２９４から供給されたマンチェスター方式で符号化された応答信号をさらにPSK変調し、変調された応答信号を、アンテナ２９１を介してリーダ２１２に送信する。
【０２３１】
また、例えば、変調部３００は、SPU２９４から供給される応答信号に対応して、例えば、所定のスイッチング素子（図示せず）をオン／オフさせ、スイッチング素子がオン状態であるときだけ、所定の負荷をアンテナ２９１に並列に接続させることにより、アンテナ２９１の負荷を変動させる。PSK変調された応答信号は、アンテナ２９１の負荷の変動により、アンテナ２９１を介してリーダ２１２に送信される（リーダ２１２のアンテナ２２３の端子電圧を変動させる）。
【０２３２】
次に、図１７のフローチャートを参照して、画像表示プログラムを実行するPDA１３３による、画像の表示の処理、検索プログラムを実行するリーダ２１２による、説明文書データの検索の処理、および送信プログラムを実行するＲＦタグ２２２による、応答の処理について説明する。
【０２３３】
ステップＳ１６１において、リーダ２１２は、要求信号の送信の処理を行う。なお、要求信号の送信の処理の詳細については、図２１を参照して後述するが、要求信号の送信の処理において、応答信号の送信を要求する旨の要求信号が生成され、生成された要求信号が、無線通信により、ＲＦタグ２２２あてに送信される。
【０２３４】
ステップＳ１８１において、ＲＦタグ２２２は、要求信号の受信の処理を行う。ステップＳ１８１における要求信号の受信の処理は、図８のフローチャートを参照して説明した処理と同様なので、その説明は省略する。なお、要求信号の受信の処理において、ＲＦタグ２２２は、リーダ２１２から送信されてきた要求信号を受信する。
【０２３５】
ステップＳ１８２において、ＲＦタグ２２２は、応答信号の送信の処理を行い、応答の処理は、終了する。なお、応答信号の送信の処理の詳細は、図２２を参照して後述するが、応答信号の送信の処理において、ＲＦタグ２２２は、無線通信により、リーダ２１２あてに応答信号を送信する。
【０２３６】
応答信号には、例えば、図１８で示される識別情報が含まれる。すなわち、この場合、応答信号は、機器２１１の製造メーカの名前を表す“Ａ”、機器２１１の型番号を表す“Ｂ１１２”、およびＲＦタグ２２２の位置を表す“（１，２，０，１）”が含まれるように生成される。 
【０２３７】
ここで、ＲＦタグ２２２の位置は、機器２１１の所定の点を基準とした直交座標系または極座標系などの座標系における、座標上のＲＦタグ２２２の座標（位置）および、ＲＦタグ２２２に固有の番号である、ＲＦタグ番号を示す。
【０２３８】
ＲＦタグ２２２の座標（位置）は、例えば、図１９に示すように、機器２１１の所定の点（点ｏとする）を基準（原点）として、ｘ方向、ｙ方向、およびｚ方向を軸とする座標系におけるＲＦタグ２２２の座標（位置）である。図１９の例においては、ＲＦタグ２２２−３のｘ座標は１であり、ｙ座標は２であり、ｚ座標は０である。また、ＲＦタグ２２２−４のｘ座標は２であり、ｙ座標は２であり、ｚ座標は０である。
【０２３９】
従って、例えば、ｘ座標が１であり、ｙ座標が２であり、ｚ座標が０であり、ＲＦタグ番号が１であるＲＦタグ２２２の位置は、“（１，２，０，１）”で表される。
【０２４０】
図１７の説明に戻り、ステップＳ１８２の処理において、ＲＦタグ２２２から応答信号が送信されてくるので、ステップＳ１６２において、リーダ２１２のアンテナ２２３は、ＲＦタグ２２２から送信されてきた応答信号を受信する。アンテナ２２３は、受信した応答信号を復調部２６０に供給する。なお、ステップＳ１６１の処理は、ＲＦタグ２２２から応答信号が送信されてくるまで繰り返される。
【０２４１】
ステップＳ１６３において、復調部２６０は、アンテナ２２３に受信されて、アンテナ２２３から供給された応答信号を、所定の方式で復調する。復調部２６０は、復調した応答信号をSPU２５７に供給する。
【０２４２】
例えば、ステップＳ１６３において、復調部２６０は、PSK復調方式により応答信号を復調し、復調した応答信号をSPU２５７に供給する。また、PSK復調方式の他に、ASK方式またはFSK方式などの復調方式により復調するようにしてもよい。
【０２４３】
ステップＳ１６４において、SPU２５７は、復調部２６０から供給された応答信号を、所定の復号方式により復号し、復号した応答信号を制御部２４１に供給する。
【０２４４】
例えば、ステップＳ１６４において、SPU２５７は、復調部２６０から供給された応答信号を、マンチェスター方式などの復号方式により復号し、復号した応答信号を制御部２４１に供給する。
【０２４５】
ステップＳ１６２乃至ステップＳ１６４の処理は、制御部２４１の制御の基に実行される。すなわち、制御部２４１は、ステップＳ１６２乃至ステップＳ１６４において、応答信号の受信を制御する。
【０２４６】
ステップＳ１６５において、制御部２４１は、記録部２５６に記録されている、識別情報テーブルおよびSPU２５７から供給された応答信号を基に、応答信号に含まれる識別情報が示す、機器２１１のボタン２２１に対応する説明文書データを検索する。
【０２４７】
より詳細には、ステップＳ１６５において、CPU２５１は、記録部２５６に予め記録されている識別情報テーブルから、SPU２５７から供給された応答信号を基に、応答信号に含まれる識別情報で特定される、機器２１１のボタン２２１に対応する説明文書データを検索する。
【０２４８】
ここで、図２０を参照して、記録部２５６に記録されている、識別情報テーブルの例を説明する。
【０２４９】
識別情報テーブルには、各ＲＦタグ２２２について、機器２１１の製造メーカの名前を表す“メーカ”、機器２１１の型番号を表す“型番号”、ＲＦタグ２２２のＲＦタグ番号を表す“ＲＦタグ番号”、ＲＦタグ２２２に対応する機器２１１の操作箇所の名称を表す“部位名”、ＲＦタグ２２２に対応するボタン２２１の説明である“説明”、相互に関連付けられたＲＦタグ番号を表す“関連ＲＦタグ番号”、ＲＦタグ２２２の位置を表す“位置”、およびボタン２２１の説明を表示させる説明文書データの名前を示す“説明文書データ”が含まれている。
【０２５０】
すなわち、図２０で示される識別情報テーブルの例において、“１”であるＲＦタグ番号、“Ａ”である機器２１１の製造メーカの名前、“Ｂ１１２”である機器２１１の型番号、および“（１，２，０，１）”であるＲＦタグ２２２の位置に対応して、“再生ボタン”である操作箇所の名称、“押すと演奏を開始します”である操作箇所（ボタン２２１）の説明、“５”および“６”である関連付けられたＲＦタグ番号、および“説明文書データＡ”である説明文書データの名前が配置されている。
【０２５１】
図２０で示される識別情報テーブルの例において、“２”であるＲＦタグ番号、“Ａ”である機器２１１の製造メーカの名前、“Ｂ１１２”である機器２１１の型番号、および“（２，２，０，２）”であるＲＦタグ２２２の位置に対応して、“停止ボタン”である操作箇所の名称、“押すと演奏を停止します”である操作箇所（ボタン２２１）の説明、“３”である関連付けられたＲＦタグ番号、および“説明文書データＢ”である説明文書データの名前が配置されている。
【０２５２】
従って、例えば、制御部２４１が、図１８で示される識別情報を含む応答信号を基に、図２０で示される識別情報テーブルから、機器２１１の操作箇所に対応する説明文書データを検索した場合、機器２１１の製造メーカの名前が“Ａ”であり、機器２１１の型番号が“Ｂ１１２”であり、識別情報に記録されているＲＦタグの位置が、“（１，２，０，１）”であるので、説明文書データの検索結果として、説明文書データの名前“説明文書データＡ”が得られる。
【０２５３】
図１７の説明に戻り、ステップＳ１６６において、制御部２４１は、検索した説明文書データを記録部２５６から取得する。例えば、ステップＳ１６５において、説明文書データの検索結果として、説明文書データの名前“説明文書データＡ”が得られた場合、ステップＳ１６６において、制御部２４１は、“説明文書データＡ”である名前（ファイル）の説明文書データを記録部２５６から取得する。
【０２５４】
ステップＳ１６７において、制御部２４１は、取得した説明文書データを、入出力インターフェース２５５を介して、PDA１３３に送信し、説明文書データの検索の処理は、終了する。
【０２５５】
ステップＳ２０１において、PDA１３３の入出力インターフェース１９５は、リーダ２１２から供給された説明文書データを、受信する。入出力インターフェース１９５は、受信した説明文書データを、CPU１９１または記録部１９７に供給する。また、記録部１９７は、受信した説明文書データを記録する。
【０２５６】
ステップＳ２０２において、CPU１９１は、入出力インターフェース１９５から説明文書データを取得する。
【０２５７】
ステップＳ２０３において、CPU１９１は、取得した説明文書データを出力部１３４に供給し、出力部１３４に画像を表示させ、画像の表示の処理は終了する。例えば、ディスプレイである出力部１３４は、CPU１９１から供給された説明文書データを基に（CPU１９１からの制御に基づいて）、機器２１１の取り扱いを説明するための画像を表示する。
【０２５８】
なお、リーダ２１２がＲＦタグ２２２あてに要求信号を送信してから、所定の期間を経過しても、ステップＳ１６２において、応答信号を受信しなかった場合、アンテナ２２３が受信に失敗した場合、または復調部２６０が復調に失敗した場合に、ステップＳ１６１に戻るようにしてもよい。
【０２５９】
このようにして、リーダ２１２は、ＲＦタグ２２２から受信した応答信号を基に、予め記録している説明文書データを検索し、検索した説明文書データを取得する。そして、リーダ２１２は、取得した説明文書データをPDA１３３に供給し、PDA１３３は、リーダ２１２から供給された、説明文書データを基に、機器２１１の取り扱いを説明するための画像を表示する。
【０２６０】
なお、識別情報テーブルに、説明文書データの名前が含まれると説明したが、説明文書データが含まれるようにしてもよい。
【０２６１】
次に、図２１のフローチャートを参照して、図１７のステップＳ１６１の処理に対応する、要求信号の送信の処理を説明する。
【０２６２】
ステップＳ２２１において、制御部２４１は、ＲＦタグ番号を含む応答信号の送信を要求する旨の要求信号を生成し、生成した要求信号をSPU２５７に供給する。より詳細には、ステップＳ２２１において、CPU２５１は、ＲＦタグ番号を含む応答信号の送信を要求する旨の要求信号を生成し、生成した要求信号をSPU２５７に供給する。
【０２６３】
ステップＳ２２２の処理乃至ステップＳ２２４の処理のそれぞれは、図７におけるステップＳ４２の処理乃至ステップＳ４４の処理のそれぞれと同様であるので、その説明は、省略する。
【０２６４】
このようにして、リーダ２１２は、要求信号を生成し、生成した要求信号を、無線通信によりＲＦタグ２２２あてに送信する。
【０２６５】
図２２を参照して、図１７のステップＳ１８２の処理に対応する、応答信号の送信の処理を説明する。なお、前段の処理において、リーダ２１２から送信されてきた要求信号が、制御部２８１に供給される。
【０２６６】
ステップＳ２４１において、制御部２８１は、応答信号を生成する。例えば、ステップＳ２４１において、制御部２８１は、SPU２９４から供給された要求信号を基に、制御部２８１のROM２９７に記憶されている識別情報を読み込み、応答信号を生成する。制御部２８１は、生成した応答信号をSPU２９４に供給する。
【０２６７】
なお、ステップＳ２４１において、制御部２８１は、識別情報として、機器２１１の製造メーカの名前、機器２１１の型番号、およびＲＦタグ２２２の位置を含むように応答信号を生成してもよく、また、機器２１１の製造メーカの名前、機器２１１の型番号、およびＲＦタグ番号を含むように応答信号を生成してもよい。
【０２６８】
ステップＳ２４２において、SPU２９４は、制御部２８１から供給された応答信号を符号化する。例えば、SPU２９４は、制御部２８１から供給された応答信号を、マンチェスター方式により符号化し、符号化した説明文書データを変調部３００に供給する。
【０２６９】
ステップＳ２４３において、変調部３００は、応答信号を変調する。例えば、ステップＳ２４３において、変調部３００は、発振回路２９９から供給されたクロック信号から生成した搬送波を基に、SPU２９４から供給された応答信号を、PSK方式により変調し、変調した応答信号をアンテナ２９１に供給する。
【０２７０】
ステップＳ２４４において、アンテナ２９１は、変調部３００から供給された応答信号を、無線通信により、リーダ２１２あてに送信し、処理は終了する。例えば、ステップＳ２４４において、アンテナ２９１は、変調部３００から供給された応答信号を伝送する電波を、輻射することにより応答信号を送信する。
【０２７１】
このようにして、ＲＦタグ２２２は、リーダ２１２から要求信号を受信すると、応答信号を、無線通信により、リーダ２１２あてに送信する。
【０２７２】
以上のように、リーダ２１２は、ＲＦタグ２２２から送信されてきた、識別情報を含む応答信号を受信し、受信した応答信号を基に、予め記憶されている説明文書データを検索することによって、所望のボタン２２１に関係する情報を得ることができる。
【０２７３】
第１の本発明によれば、機器にＲＦタグを設けたので、機器に関係する情報を得ることができる。また、第１の本発明によれば、機器の各操作箇所に対応するＲＦタグを設け、各ＲＦタグに関係する情報を記録するようにしたので、情報を検索する労力を軽減させ、より迅速に必要な情報を得ることができる。
【０２７４】
また、第２の本発明によれば、機器に関係する情報を受信するようにしたので、機器に関係する情報を表示することができる。また、第２の本発明によれば、機器の操作箇所に関係する情報を検索するようにしたので、情報を検索する労力を軽減させ、より迅速に必要な情報を得ることができる。
【０２７５】
次に、本発明の第４の実施の形態について、説明する。
【０２７６】
図２３は、本発明に係る無線通信システムの一実施の形態を示す図である。なお、図中、図１４における場合と対応する部分については、同一の符号を付してあり、繰り返しになるので、以下では、その説明は、適宜、省略する。
【０２７７】
リーダ３１１は、PDA３１２に装着されており、PDA３１２には、通信網３１４−１を介して、サーバ３１３−１が接続されている。通信網３１４−１は、例えば、LAN（Local Area Network）とすることができる。また、PDA３１２には、通信網３１４−２を介して、サーバ３１３−２が接続されている。通信網３１４−２は、例えば、インターネットとすることができる。
【０２７８】
リーダ３１１は、無線通信により、ＲＦタグ番号を含む応答信号の送信を要求する旨の要求信号を機器２１１あてに送信し、機器２１１は、リーダ３１１から送信されてきた、要求信号を受信する。機器２１１は、応答信号を、無線通信によりリーダ３１１あてに送信し、リーダ３１１は、機器２１１から送信されてきた応答信号を受信する。リーダ３１１は、受信した応答信号を、PDA３１２に供給（送信）する。
【０２７９】
PDA３１２は、応答信号を受信し、受信した応答信号を基に、説明文書データ送信要求信号をサーバ３１３−１またはサーバ３１３−２あてに送信する。サーバ３１３−１またはサーバ３１３−２は、PDA３１２から送信されてきた、説明文書データ送信要求信号を受信し、要求された説明文書データをPDA３１２あてに送信する。
【０２８０】
PAD３１２は、サーバ３１３−１またはサーバ３１３−２から送信されてきた、説明文書データを受信し、受信した説明文書データを基に、画像を表示する。
【０２８１】
リーダ３１１は、アンテナ３２１を備え、アンテナ３２１を介して、機器２１１のＲＦタグ２２２から送信されてきた、ＲＦタグ番号を含む応答信号を受信し、受信した応答信号をPDA３１２に供給（送信）する。
【０２８２】
PDA３１２は、リーダ３１１から供給された応答信号を基に、応答信号に含まれるＲＦタグ番号に対応する、説明文書データの送信を要求する、説明文書データ要求信号を生成し、生成した説明文書データ要求信号を、通信網３１４−１または通信網３１４−２を介して、サーバ３１３−１またはサーバ３１３−２あてに送信する。PDA３１２は、サーバ３１３−１またはサーバ３１３−２から送信されてきた説明文書データを受信する。
【０２８３】
PDA３１２は、ディスプレイである出力部３２２を備え、受信した説明文書データを基に、ディスプレイである出力部３２２の表示領域である領域３２３および領域３２５に、機器２１１の取り扱いを説明する画像を表示する。領域３２３には、機器２１１を表す画像が表示される。また、領域３２３に表示される矢印３２４は、領域３２５に表示されている説明に対応するボタン２２１を指示するように表示される。
【０２８４】
サーバ３１３−１は、PDA３１２から送信されてきた説明文書データ要求信号を受信する。サーバ３１３−１は、説明文書データ要求信号を受信すると、要求された説明文書データを、通信網３１４−１を介して、PDA３１２あてに送信する。サーバ３１３−１は、例えば、LANなどの通信網３１４−１に接続されている、いわゆるローカルサーバである。
【０２８５】
サーバ３１３−２は、PDA３１２から送信されてきた説明文書データ要求信号を受信する。サーバ３１３−２は、説明文書データ要求信号を受信すると、要求された説明文書データを、通信網３１４−２を介して、PDA３１２あてに送信する。サーバ３１３−２は、例えば、インターネットなどの通信網３１４−２に接続されている。
【０２８６】
以下、サーバ３１３−１およびサーバ３１３−２を個々に区別する必要のないとき、単に、サーバ３１３と称する。また、同様に、以下、通信網３１４−１および通信網３１４−２を個々に区別する必要のないとき、単に、通信網３１４と称する。
【０２８７】
なお、サーバ３１３およびPDA３１２におけるデータの送受信は、USBケーブルを介して行うようにしてもよい。また、通信網３１４は、無線LAN、光ファイバ通信網、赤外線通信網、PAN（Personal Area Network）、Bluetoothの規格に準拠した通信などとすることも可能である。
【０２８８】
例えば、ボタン２２１−４に関係する情報として、ボタン２２１−４の操作、機能、または取り扱いを示す画像または文をディスプレイである出力部３２２に表示させたい場合、ユーザは、リーダ３１１のアンテナ３２１をボタン２２１−４に近づける。これに対して、リーダ３１１は、アンテナ３２１を介して、要求信号をＲＦタグ２２２−４あてに送信する。
【０２８９】
そして、ＲＦタグ２２２−４は、リーダ３１１から送信されてきた要求信号を受信する。ＲＦタグ２２２−４は、要求信号を受信すると、受信した要求信号および記憶している識別情報を基に、応答信号を生成し、生成した応答信号を、無線通信により、リーダ３１１あてに送信する。
【０２９０】
リーダ３１１は、アンテナ３２１を介して、ＲＦタグ２２２−４から送信されてきた応答信号を受信し、受信した応答信号をPDA３１２に供給する。
【０２９１】
PDA３１２は、リーダ３１１から送信されてきた応答信号を受信する。PDA３１２は、受信した応答信号を基に、応答信号に含まれるＲＦタグ番号に対応する説明文書データの送信を要求する、説明文書データ要求信号を生成し、生成した説明文書データ要求信号を、通信網３１４を介して、サーバ３１３あてに送信する。
【０２９２】
サーバ３１３は、PDA３１２から送信されてきた、説明文書データ要求信号を受信する。サーバ３１３は、説明文書データ要求信号を受信すると、要求された説明文書データを、通信網３１４を介して、PDA３１２あてに送信する。
【０２９３】
PDA３１２は、サーバ３１３から送信されてきた、説明文書データを受信する。PDA３１２は、受信した説明文書データを基に、ボタン２２１−４に関係する情報として、ボタン２２１−４の操作、機能、または取り扱いを示す画像または文をディスプレイである出力部３２２に表示する。例えば、ボタン２２１−４が、演奏を停止するための停止ボタンである場合、領域３２５には、停止ボタンを表すシンボル、ならびにボタン２２１−４を説明する文字列“停止ボタン”、“押すと演奏を停止します。”、およびボタン３２６が表示される。
【０２９４】
説明文書データによって出力部３２２に表示されたボタン３２６には、文字列“関連項目”が表示され、ユーザがタッチペンなどを操作することによって、ボタン３２６を選択すると、領域３２５には、例えば、ボタン２２１−４と関連付けられたボタン２２１を説明する文字列が表示される。
【０２９５】
また、ディスプレイである出力部３２２の領域３２３には、機器２１１を表す画像が表示され、領域３２５に表示されている説明に対応するボタン２２１を指示する、矢印３２４が表示される。
【０２９６】
このようにして、リーダ３１１は、機器２１１から送信されてきた、識別情報を含む応答信号を受信し、受信した応答信号をPDA３１２に供給する。そして、PDA３１２は、リーダ３１１から供給された応答信号を基に、説明文書データ要求信号を生成し、生成した説明文書データ要求信号をサーバ３１３あてに送信し、サーバ３１３から説明文書データを受信する。そして、さらに、PDA３１２は、受信した説明文書データを基に、ボタン２２１に関係する情報を、ディスプレイである出力部３２２に表示する。
【０２９７】
ユーザは、説明が必要な機器の部位に、リーダ３１１を近づけるだけで、PDA３１２にその部位に関係する情報が表示されるので、その機器の機能やその部位の名称を知らなくても、所望の部位に関係する情報を知ることができる。面倒な操作を必要とせず、簡単な操作で、ユーザは、機器の所望の部位について、迅速に必要な情報を取得することができる。
【０２９８】
図２４は、リーダ３１１の機能の構成を示すブロック図である。
【０２９９】
リーダ３１１は、アンテナ３２１、CPU３５１、ROM３５２、RAM３５３、バス３５４、入出力インターフェース３５５、記録部３５６、SPU３５７、発振回路３５８、変調部３５９、および復調部３６０を含むように構成される。
【０３００】
なお、アンテナ３２１、CPU３５１、ROM３５２、RAM３５３、バス３５４、入出力インターフェース３５５、SPU３５７、発振回路３５８、変調部３５９、および復調部３６０のそれぞれは、図１５におけるアンテナ２２３、CPU２５１、ROM２５２、RAM２５３、バス２５４、入出力インターフェース２５５、SPU２５７、発振回路２５８、変調部２５９、および復調部２６０のそれぞれと同様なので、その説明は、省略する。
【０３０１】
制御部３４１は、CPU３５１、ROM３５２、RAM３５３、およびバス３５４を含むように構成される。CPU３５１は、ROM３５２に記憶されているプログラムを実行し、リーダ３１１全体を制御する。
【０３０２】
制御部３４１は、応答信号の送信を要求する旨の要求信号を生成し、生成した要求信号を、SPU３５７に供給する。また、制御部３４１は、SPU３５７から供給された応答信号を、入出力インターフェース３５５を介して、PDA３１２に送信する。
【０３０３】
記録部３５６は、書き換え可能で、電源が遮断されても記録内容を保持できる、いわゆる不揮発性の記憶媒体または記録媒体からなり、例えば、フラッシュメモリまたはハードディスクなどで構成される。記録部３５６は、CPU３５１が実行するプログラムや各種のデータを記録する。
【０３０４】
送信部３４２は、アンテナ３２１、SPU３５７、発振回路３５８、および変調部３５９を含むように構成され、無線通信により、各種データを送信する。また、受信部３４３は、アンテナ３２１、SPU３５７、および復調部３６０を含むように構成され、無線通信により、各種データを受信する。
【０３０５】
図２５は、PDA３１２の機能の構成を示すブロック図である。
【０３０６】
PDA３１２は、出力部３２２、CPU３８１、ROM３８２、RAM３８３、バス３８４、入出力インターフェース３８５、入力部３８６、記録部３８７、および通信部３８８を含むように構成される。
【０３０７】
なお、出力部３２２、ROM３８２、RAM３８３、バス３８４、入出力インターフェース３８５、および入力部３８６のそれぞれは、図１２における出力部１３４、ROM１９２、RAM１９３、バス１９４、入出力インターフェース１９５、および入力部１９６のそれぞれと同様なので、その説明は、省略する。
【０３０８】
CPU３８１は、ROM３８２に記憶されているプログラム、または記録部３８７からロードされ、RAM３８３に記憶されているプログラムに従って各種の処理を実行する。
【０３０９】
CPU３８１は、リーダ３１１から送信されてきた応答信号を受信し、受信した応答信号を基に、応答信号に含まれるＲＦタグ番号に対応する、説明文書データの送信を要求する、説明文書データ要求信号を生成し、生成した説明文書データ要求信号を通信部３８８に供給する。
【０３１０】
CPU３８１は、記録部３８７に記録されている説明文書データを取得し、取得した説明文書データを出力部３２２に供給する。そして、CPU３８１は、出力部３２２を制御し、供給した説明文書データに基づく画像を表示させる。
【０３１１】
記録部３８７は、例えばハードディスクなどで構成され、CPU３８１が実行するプログラムや各種のデータを記録する。また、記録部３８７は、通信部３８８から供給された説明文書データを記録する。記録部３８７は、記録している説明文書データをCPU３８１に供給する。
【０３１２】
通信部３８８は、ネットワークインターフェースカードまたはモデムなどからなり、LANまたはインターネットなどの通信網３１４を介して、外部装置と通信する。
【０３１３】
通信部３８８は、CPU３８１から供給された説明文書データ要求信号を、通信網３１４を介して、サーバ３１３あてに送信する。また、通信部３８８は、サーバ３１３から送信されてきた説明文書データを受信し、受信した説明文書データを記録部３８７に供給する。
【０３１４】
次に、図２６および図２７のフローチャートを参照して、説明文書データの送信プログラムを実行するサーバ３１３による、説明文書データの送信の処理、画像表示プログラムを実行するPDA３１２による、画像の表示の処理、応答信号受信プログラムを実行するリーダ３１１による、応答信号の要求の処理、および送信プログラムを実行するＲＦタグ２２２による、応答の処理について説明する。
【０３１５】
ステップＳ２６１の処理乃至ステップＳ２６４の処理、並びにステップＳ２８１の処理およびステップＳ２８２の処理は、図１７におけるステップＳ１６１の処理乃至ステップＳ１６４の処理、並びにステップＳ１８１の処理およびステップＳ１８２の処理と同様なので、その説明は、省略する。
【０３１６】
ステップＳ２６５において、制御部３４１は、SPU３５７から供給された応答信号を、入出力インターフェース３５５を介して、PDA３１２に送信し、応答信号の要求の処理を終了する。
【０３１７】
ステップＳ３０１において、PDA３１２の入出力インターフェース３８５は、リーダ３１１から供給された応答信号を受信し、受信した応答信号をCPU３８１に供給する。
【０３１８】
ステップＳ３０２において、CPU３８１は、入出力インターフェース３８５から供給された応答信号を基に、応答信号に含まれるＲＦタグ番号に対応する説明文書データの送信を要求する、説明文書データ送信要求信号を生成し、生成した説明文書データ送信要求信号を、通信部３８８に供給する。
【０３１９】
ステップＳ３０３において、通信部３８８は、CPU３８１から供給された説明文書データ送信要求信号を、通信網３１４を介して、サーバ３１３あてに送信する。
【０３２０】
なお、応答信号は、サーバ３１３のアドレスを特定する情報を含み、ステップＳ３０３において、通信部３８８は、サーバ３１３のアドレスを基に、CPU３８１から供給された説明文書データ送信要求信号を、通信網３１４を介して、サーバ３１３あてに送信するようにしてもよい。また、PDA３１２は、予め、サーバ３１３のアドレスを記憶するようにしてもよい。
【０３２１】
ステップＳ３２１において、サーバ３１３は、PDA３１２から送信されてきた説明文書データ送信要求信号を受信する。
【０３２２】
ステップＳ３２２において、サーバ３１３は、受信した説明文書データ送信要求信号を基に、要求された説明文書データを、通信網３１４を介して、PDA３１２あてに送信し、説明文書データの送信の処理は、終了する。
【０３２３】
ステップＳ３０４において、通信部３８８は、サーバ３１３から送信されてきた説明文書データを受信し、受信した説明文書データを記録部３８７に供給する。そして、記録部３８７は、供給された説明文書データを記録する。
【０３２４】
ステップＳ３０５において、CPU３８１は、記録部３８７に記録されている説明文書データを取得し、取得した説明文書データを出力部３２２に供給する。
【０３２５】
ステップＳ３０６において、CPU３８１は、説明文書データに基づく画像を、ディスプレイである出力部３２２に表示させ、画像の表示の処理は、終了する。
【０３２６】
このようにして、リーダ３１１は、ＲＦタグ２２２から送信されてきた応答信号を受信し、受信した応答信号をPDA３１２に供給する。また、PDA３１２は、リーダ３１１から供給された応答信号を基に、説明文書データ送信要求信号を生成し、生成した説明文書データ送信要求信号をサーバ３１３あてに送信する。そして、PDA３１２は、サーバ３１３から送信されてきた説明文書データを受信し、受信した説明文書データを基に、画像を表示する。サーバ３１３は、説明文書データ送信要求信号を受信すると、送信要求信号で特定される説明文書データをPDA３１２に送信する。
【０３２７】
以上のように、リーダ３１１は、ＲＦタグ２２２から送信されてきた、識別情報を含む応答信号を受信し、受信した応答信号を、PDA３１２に供給する。また、PDA３１２は、リーダ３１１から供給された応答信号を基に、説明文書データ要求信号を生成し、生成した説明文書データ要求信号を、サーバ３１３に送信する。PDA３１２は、サーバ３１３から送信されてきた説明文書データを受信することによって、所望のボタン２２１に関係する情報を得ることができる。
【０３２８】
第１の本発明によれば、機器にＲＦタグを設けたので、機器に関係する情報を得ることができる。また、第１の本発明によれば、機器の各操作箇所に対応するＲＦタグを設け、各ＲＦタグに関係する情報を記録するようにしたので、情報を検索する労力を軽減させ、より迅速に必要な情報を得ることができる。
【０３２９】
また、第２の本発明によれば、機器に関係する情報を受信するようにしたので、機器に関係する情報を表示することができる。また、第２の本発明によれば、機器の操作箇所に関係する情報を受信するようにしたので、情報を検索する労力を軽減させ、より迅速に必要な情報を得ることができる。
【０３３０】
次に、本発明の第５の実施の形態について、説明する。
【０３３１】
図２８は、本発明に係る無線通信システムの一実施の形態を示す図である。なお、図中、図１４における場合と対応する部分については、同一の符号を付してあり、繰り返しになるので、以下では、その説明は、適宜省略する。
【０３３２】
リーダ４０１は、PDA４０２に装着されている。リーダ４０１は、アンテナ４１１を備え、アンテナ４１１を介して、機器２１１から送信されてきた、応答信号を受信する。リーダ４０１は、受信した応答信号および応答信号の受信強度をPDA４０２に供給（送信）する。
【０３３３】
PDA４０２は、ディスプレイである出力部４１２を備え、リーダ４０１から供給された応答信号および応答信号の受信強度を基に、ＲＦタグ２２２の位置を表示させる画像データを生成し、生成した画像データを基に、ディスプレイである出力部４１２の表示領域である領域４１３に画像を表示する。
【０３３４】
例えば、アンテナ４１１が、ＲＦタグ２２２−２乃至ＲＦタグ２２２−４のそれぞれから送信されてきた応答信号を受信した場合、PDA４０２は、リーダ４０１から供給された応答信号のそれぞれおよび応答信号の受信強度のそれぞれを基に、ＲＦタグ２２２の位置および応答信号の受信強度を表示させる画像データを生成し、生成した画像データを基に、画像をディスプレイである出力部４１２の領域４１３に表示する。
【０３３５】
この場合、領域４１３には、ＲＦタグ２２２−２乃至ＲＦタグ２２２−４のそれぞれの位置および応答信号の受信強度を表すアイコン４１４−１乃至アイコン４１４−３が表示される。
【０３３６】
すなわち、アイコン４１４−１は、ＲＦタグ２２２−２の位置およびＲＦタグ２２２−２から送信されてきた応答信号の受信強度を表し、アイコン４１４−２は、ＲＦタグ２２２−３の位置およびＲＦタグ２２２−３から送信されてきた応答信号の受信強度を表し、アイコン４１４−３は、ＲＦタグ２２２−４の位置およびＲＦタグ２２２−４から送信されてきた応答信号の受信強度を表す。
【０３３７】
また、例えば、アイコン４１４−１乃至アイコン４１４−３のそれぞれは、受信強度に比例した大きさで表示されるようになされている。従って、図２８の例においては、アイコン４１４−１およびアイコン４１４−２は、同じ大きさであるので、ＲＦタグ２２２−２およびＲＦタグ２２２−３から送信されてきた応答信号の受信強度は、等しく、また、アイコン４１４−３は、アイコン４１４−１およびアイコン４１４−２より大きいので、ＲＦタグ２２２−４から送信されてきた応答信号の受信強度は、ＲＦタグ２２２−２およびＲＦタグ２２２−３から送信されてきた応答信号の受信強度よりも大きいことが分かる。
【０３３８】
なお、アイコン４１４−１乃至アイコン４１４−３は、受信強度に比例して濃度を変化させるなど、受信強度に対応して強調表示するようにしてもよい。
【０３３９】
以下、アイコン４１４−１乃至アイコン４１４−３を個々に区別する必要のないとき、単にアイコン４１４と称する。
【０３４０】
また、ディスプレイである出力部４１２には、ポインタ４１５が表示される。ユーザが、キーボードである入力部（図示せず）などを操作することによって、ポインタ４１５を移動させ、アイコン４１４を選択した場合、PDA４０２は、選択されたアイコン４１４に対応するボタン２２１の説明を表示させる画像データを生成し、生成した画像データを基に、領域４１６に画像を表示させる。
【０３４１】
例えば、アイコン４１４−３が選択された場合、領域４１６には、アイコン４１４−３に対応するボタン２２１−４の説明が表示される。このとき、領域４１６には、停止ボタンを表すシンボル、並びにボタン２２１−４を説明する文字列“停止ボタン”、“押すと演奏を停止します。”、およびボタン４１７が表示される。
【０３４２】
説明文書データによって出力部４１２に表示されたボタン４１７には、文字列“関連項目”が表示され、ユーザがタッチペンなどを操作することによって、ボタン４１７を選択すると、領域４１６には、ボタン２２１−４と関連付けられたボタン２２１（例えば、ボタン２２１−１乃至ボタン２２１−３のうちの少なくともいずれか１つのボタン）を説明する文字列が表示される。
【０３４３】
このようにして、リーダ４０１が、複数のＲＦタグ２２２から送信されてきた応答信号を受信した場合、PDA４０２には、受信された応答信号を基に、ＲＦタグ２２２を表すアイコン４１４が表示される。そして、表示されているアイコン４１４が選択されると、アイコン４１４に対応するボタン２２１の説明が表示される。
【０３４４】
ユーザは、説明が必要な機器の部位に、リーダ４０１を近づけ、PDA４０２を操作することによって所望の部位を選択するだけで、PDA４０２にその部位に関係する情報が表示されるので、その機器の機能やその部位の名称を知らなくても、所望の部位に関係する情報を知ることができる。面倒な操作を必要とせず、簡単な操作で、ユーザは、機器の所望の部位について、迅速に必要な情報を取得することができる。
【０３４５】
図２９は、リーダ４０１の機能の構成を示すブロック図である。
【０３４６】
リーダ４０１は、アンテナ４１１、CPU４４１、ROM４４２、RAM４４３、バス４４４、入出力インターフェース４４５、記録部４４６、SPU４４７、発振回路４４８、変調部４４９、および復調部４５０を含むように構成される。
【０３４７】
なお、アンテナ４１１、CPU４４１、ROM４４２、RAM４４３、バス４４４、入出力インターフェース４４５、記録部４４６、発振回路４４８、および変調部４４９のそれぞれは、図２４におけるアンテナ３２１、CPU３５１、ROM３５２、RAM３５３、バス３５４、入出力インターフェース３５５、記録部３５６、発振回路３５８、および変調部３５９のそれぞれと同様なので、その説明は、省略する。
【０３４８】
制御部４３１は、CPU４４１、ROM４４２、RAM４４３、およびバス４４４、を含むように構成される。CPU４４１は、ROM４４２に記憶されているプログラムを実行し、リーダ４０１全体を制御する。
【０３４９】
制御部４３１は、応答信号の送信を要求する旨の要求信号を生成し、生成した要求信号を、SPU４４７に供給する。また、制御部４３１は、SPU４４７から供給された応答信号および応答信号の受信強度を、入出力インターフェース４４５を介して、PDA４０２に送信する。
【０３５０】
送信部４３２は、アンテナ４１１、SPU４４７、発振回路４４８、および変調部４４９を含むように構成され、無線通信により、各種データを送信する。また、受信部４３３は、アンテナ４１１、SPU４４７、および復調部４５０を含むように構成され、無線通信により、各種データを受信する。
【０３５１】
SPU４４７は、制御部４３１から供給された要求信号を、所定の方式により符号化し、符号化した要求信号を変調部４４９に供給する。また、SPU４４７は、復調部４５０から供給された応答信号を、符号化方式に対応する復号方式により復号し、復号した応答信号および応答信号の受信強度を制御部４３１に供給する。
【０３５２】
復調部４５０は、アンテナ４１１から供給された応答信号を、変調部３００の変調方式に対応する復調方式により復調し、復調した応答信号をSPU４４７に供給する。
【０３５３】
図３０は、PDA４０２の機能の構成を示すブロック図である。
【０３５４】
PDA４０２は、出力部４１２、CPU４７１、ROM４７２、RAM４７３、バス４７４、入出力インターフェース４７５、入力部４７６、および記録部４７７を含むように構成される。
【０３５５】
なお、ROM４７２、RAM４７３、バス４７４、および入出力インターフェース４７５のそれぞれは、図１２におけるROM１９２、RAM１９３、バス１９４、および入出力インターフェース１９５のそれぞれと同様なので、その説明は、省略する。
【０３５６】
CPU４７１は、ROM４７２に記憶されているプログラム、または記録部４７７からロードされ、RAM４７３に記憶されているプログラムに従って各種の処理を実行する。CPU４７１は、リーダ４０１から送信されてきた応答信号および応答信号の受信強度を受信する。
【０３５７】
CPU４７１は、自分自身が、２つ以上の応答信号を受信したか否かを判定する。CPU４７１は、２つ以上の応答信号を受信したと判定された場合、受信した応答信号および応答信号の受信強度を基に、記録部４４７に記録されている識別情報テーブルを参照して、ＲＦタグ２２２の位置を表示させる画像データを生成し、生成したＲＦタグ２２２の位置を表示させる画像データを出力部４１２に供給する。そして、CPU４７１は、出力部４１２を制御し、供給した画像データに基づく画像を表示させる。
【０３５８】
CPU４７１は、２つ以上の応答信号を受信していないと判定された場合、受信した応答信号および応答信号の受信強度を基に、記録部４７７に記録されている識別情報テーブルを参照して、ＲＦタグ２２２の位置を表示させる画像データを生成し、生成したＲＦタグ２２２の位置を表示させる画像データを出力部４１２に供給する。CPU４７１は、ＲＦタグ２２２の位置を表示させる画像データを出力部４１２に供給してから、ＲＦタグ２２２に対応するボタン２２１の説明を表示させる画像データを生成し、生成したボタン２２１の説明を表示させる画像データを出力部４１２に供給する。
【０３５９】
また、CPU４７１は、２つ以上の応答信号を受信したと判定された場合、ＲＦタグ２２２の位置を表示させる画像データを出力部４１２に供給してから、入力部４７６から供給された選択信号を基に、ＲＦタグ２２２を表すアイコン４１４が選択されたか否かを判定する。
【０３６０】
CPU４７１は、アイコン４１４が選択されたと判定された場合、記録部４７７に記録されている識別情報テーブル（図２０）を参照して、選択されたアイコン４１４に対応するボタン２２１の説明を表示させる画像データを生成し、生成したボタン２２１の説明を表示させる画像データを出力部４１２に供給する。また、CPU４７１は、アイコン４１４が選択されなかったと判定された場合、ボタン２２１の説明を表示させる画像データを生成しない。
【０３６１】
入力部４７６は、キーボード、タッチパネル、スイッチなどよりなる。ユーザが入力部４７６を操作することによって、アイコン４１４を選択した場合、入力部４７６は、選択されたアイコン４１４を示す、選択信号を生成し、生成した選択信号をCPU４７１に供給する。
【０３６２】
出力部４１２は、液晶表示装置または有機ＥＬ表示装置などのディスプレイ、スピーカ、ランプなどよりなる。ディスプレイとしての出力部４１２は、CPU４７１からの制御（ＲＦタグ２２２の位置を表示させる画像データおよびＲＦタグ２２２に対応するボタン２２１の説明を表示させる画像データの供給）を基に、画像を表示する。
【０３６３】
記録部４７７は、例えば半導体メモリまたはハードディスクなどで構成され、CPU４７１が実行するプログラムや各種のデータを記録する。また、記録部４７７は、識別情報テーブル（図２０）および説明文書データを記録している。
【０３６４】
次に、図３１のフローチャートを参照して、画像表示プログラムを実行するPDA４０２による、画像の表示の処理、応答信号受信プログラムを実行するリーダ４０１による、応答信号の要求の処理、および送信プログラムを実行するＲＦタグ２２２による、応答の処理について説明する。
【０３６５】
ステップＳ３４１の処理およびステップＳ３４２の処理、並びにステップＳ３６１の処理およびステップＳ３６２の処理のそれぞれは、図１７におけるステップＳ１６１の処理およびステップＳ１６２の処理、並びにステップＳ１８１の処理およびステップＳ１８２の処理のそれぞれと同様なので、その説明は、省略する。
【０３６６】
ステップＳ３４３において、リーダ４０１は、応答信号の復号の処理を行い、応答信号の要求の処理は、終了する。なお、応答信号の復号の処理の詳細は、図３２を参照して後述するが、この応答信号の復号の処理において、応答信号が復号され、復号された応答信号および応答信号の受信強度がPDA４０２に供給される。
【０３６７】
ステップＳ３８１において、PDA４０２は、画像データの生成の処理を行う。なお、画像データの生成の処理の詳細は、図３３を参照して後述するが、この画像データの生成の処理において、ボタン２２１の説明を表示させる画像データが生成され、生成されたボタン２２１の説明を表示させる画像データが出力部４１２に供給される。
【０３６８】
ステップＳ３８２において、CPU４７１は、ディスプレイである出力部４１２に、ボタン２２１の説明を表示させる画像データに基づく、機器２１１の取り扱いを説明する文または画像を表示させる。そして、画像の表示の処理は、終了する。
【０３６９】
このようにして、リーダ４０１は、ＲＦタグ２２２から送信されてきた、応答信号を受信し、受信した応答信号および応答信号の受信強度をPDA４０２に供給する。そして、PDA４０２は、リーダ４０１から送信されてきた、応答信号および応答信号の受信強度を受信し、受信した応答信号および応答信号の受信強度を基に、ボタン２２１の説明を表示させる画像を表示する。
【０３７０】
図３２を参照して、図３１のステップＳ３４３の処理に対応する、応答信号の復号の処理を説明する。
【０３７１】
前段の処理（例えば、図３１のステップＳ３４２）において、アンテナ４１１によって受信された応答信号が、復調部４５０に供給される。
【０３７２】
ステップＳ４０１において、復調部４５０は、アンテナ４１１から供給された応答信号を、所定の方式で復調する。復調部４５０は、復調した応答信号をSPU４４７に供給する。
【０３７３】
例えば、ステップＳ４０１において、復調部４５０は、PSK復調方式により応答信号を復調し、復調した応答信号をSPU４４７に供給する。また、PSK復調方式の他に、ASK方式またはFSK方式などの復調方式により復調するようにしてもよい。
【０３７４】
ステップＳ４０２において、SPU４４７は、復調部４５０から供給された応答信号を、所定の復号方式により復号し、復号した応答信号および応答信号の受信強度を、制御部４３１に供給する。
【０３７５】
例えば、ステップＳ４０２において、SPU４４７は、復調部４５０から供給された応答信号を、マンチェスター方式などの復号方式により復号し、復号した応答信号および応答信号の受信強度を制御部４３１に供給する。
【０３７６】
ステップＳ４０３において、制御部４３１は、SPU４４７から供給された応答信号および受信強度を、入出力インターフェース４４５を介してPDA４０２に供給する。
【０３７７】
ステップＳ４０４において、制御部４３１は、SPU４４７から供給される信号を基に、他の応答信号を受信したか否かを判定する。ステップＳ４０４において、他の応答信号を受信していないと判定された場合、復調部４５０は、応答信号を受信していないので、応答信号の復調を行わず、処理は、終了する。
【０３７８】
一方、ステップＳ４０４において、他の応答信号を受信したと判定された場合、ステップＳ４０１に戻り、上述した処理を繰り返す。なお、ステップＳ４０４において、制御部４３１は、予め定められた所定の期間内に、他の応答信号を受信したか否かを判定するようにしてもよい。
【０３７９】
このようにして、リーダ４０１は、受信した応答信号を復号し、復号した応答信号および受信強度をPDA４０２に供給する。
【０３８０】
次に、図３３を参照して、図３１のステップＳ３８１の処理に対応する、画像データの生成の処理を説明する。
【０３８１】
ステップＳ４２１において、CPU４７１は、２つ以上の応答信号を受信したか否かを判定する。ステップＳ４２１において、２つ以上の応答信号を受信したと判定された場合、ステップＳ４２２に進み、CPU４７１は、受信した応答信号および応答信号の受信強度を基に、記録部４７７に記録されている識別情報テーブルを参照して、ＲＦタグ２２２の位置を表示させる画像データを生成し、生成したＲＦタグ２２２の位置を表示させる画像データを出力部４１２に供給し、  
【０３８２】
ステップＳ４２３において、CPU４７１は、ディスプレイである出力部４１２に、ＲＦタグ２２２の位置を表示させる画像データに基づく文または画像を表示させる。例えば、ステップＳ４２３において、ディスプレイである出力部４１２には、図２８の領域４１３に示される画像が表示される。
【０３８３】
ステップＳ４２４において、CPU４７１は、ユーザが入力部４７６を操作することによって、ＲＦタグ２２２に対応するアイコン４１４が選択されたか否かを判定する。例えば、ステップＳ４２４において、CPU４７１は、入力部４７６から選択信号が供給されたか否かを基に、アイコン４１４が選択されたか否かを判定する。
【０３８４】
ステップＳ４２４において、アイコン４１４が選択されなかったと判定された場合、ステップＳ４２４に戻り、アイコン４１４が選択されたと判定されるまで、判定の処理を繰り返す。
【０３８５】
ステップＳ４２４において、アイコン４１４が選択されたと判定された場合、ステップＳ４２５に進み、CPU４７１は、記録部４７７に記録されている識別情報テーブルを参照して、選択されたアイコン４１４に対応するボタン２２１の説明を表示させる画像データを生成する。CPU４７１は、生成した画像データを出力部４１２に供給し、その後、処理は、図３１のステップＳ３８２に進み、CPU４７１は、生成した画像データに基づく画像を出力部４１２に表示させる。
【０３８６】
また、ステップＳ４２１において、２つ以上の応答信号を受信していないと判定された場合、ステップＳ４２６に進み、CPU４７１は、受信した応答信号および応答信号の受信強度を基に、記録部４７７に記録されている識別情報テーブルを参照して、ＲＦタグ２２２の位置を表示させる画像データを生成し、生成したＲＦタグ２２２の位置を表示させる画像データを出力部４１２に供給する。
【０３８７】
そして、ステップＳ４２７において、CPU４７１は、ＲＦタグ２２２の位置を表示させる画像データに基づく画像を、ディスプレイである出力部４１２に表示させる。
【０３８８】
ステップＳ４２８において、CPU４７１は、記録部４７７に記録されている識別情報テーブルを参照して、ＲＦタグ２２２に対応するボタン２２１の説明を表示させる画像データを生成する。CPU４７１は、生成した画像データを出力部４１２に供給し、その後、処理は、図３１のステップＳ３８２に進み、CPU４７１は、生成した画像データに基づく画像を出力部４１２に表示させる。
【０３８９】
なお、ステップＳ４２４において、アイコン４１４が選択されなかったと判定された場合、アイコン４１４が選択されるまで、判定の処理を繰り返すと説明したが、応答信号の受信強度が最も強い応答信号に対応するボタン２２１の説明を表示させる画像データを生成するようにしてもよい（すなわち、この場合、ステップＳ４２４の処理はスキップされる）。
【０３９０】
このようにして、PDA４０２は、リーダ４０１から送信されてきた応答信号および受信強度を基に、ボタン２２１の説明を表示させる画像データを生成し、生成した画像データを基に、画像を表示する。
【０３９１】
以上のように、リーダ４０１は、ＲＦタグ２２２から送信されてきた、識別情報を含む応答信号を受信し、受信した応答信号および受信強度をPDA４０２に供給する。また、PDA４０２は、リーダ４０１から供給された応答信号および受信強度を基に、ＲＦタグ２２２を表すアイコン４１４を表示させ、アイコン４１４が選択されると、選択されたアイコン４１４に対応するボタン２２１の説明を表示する。
【０３９２】
第１の本発明によれば、機器にＲＦタグを設けたので、機器に関係する情報を得ることができる。また、第１の本発明によれば、機器の各操作箇所に対応するＲＦタグを設け、各ＲＦタグに関係する情報を記録するようにしたので、情報を検索する労力を軽減させ、より迅速に必要な情報を得ることができる。
【０３９３】
また、第２の本発明によれば、機器に関係する情報を受信するようにしたので、機器に関係する情報を表示することができる。また、第２の本発明によれば、選択された機器の操作箇所に関係する情報を検索するようにしたので、情報を検索する労力を軽減させ、より迅速に必要な情報を得ることができる。
【０３９４】
次に、本発明の第６の実施の形態について、説明する。
【０３９５】
図３４は、本発明に係る無線通信システムの一実施の形態を示す図である。なお、図中、図１０における場合と対応する部分については、同一の符号を付してあり、繰り返しになるので、以下では、その説明は、適宜、省略する。
【０３９６】
リーダ４９１は、無線通信により、機器４９２および電池４９３あてに、ＲＦタグ番号を含む応答信号を要求する旨の要求信号を送信し、機器４９２および電池４９３は、リーダ４９１から送信されてきた要求信号を受信する。また、機器４９２および電池４９３は、無線通信により、応答信号をリーダ４９１あてに送信し、リーダ４９１は、機器４９２および電池４９３から送信されてきた応答信号を受信する。
【０３９７】
リーダ４９１は、受信した応答信号を基に、予め記録している説明文書データを検索し、検索した説明文書データをPDA１３３に供給（送信）する。PDA１３３は、リーダ４９１から送信されてきた説明文書データを受信し、受信した説明文書データを基に、画像を表示する。
【０３９８】
機器４９２は、電池を格納する電池格納部（図示せず）および電池格納部のカバー５０２を備え、カバー５０２には、ＲＦタグ５０３−１が組み込まれている。ＲＦタグ５０３−１は、リーダ４９１から送信されてきた要求信号を受信し、受信した要求信号を基に、応答信号を無線通信により、リーダ４９１あてに送信する。
【０３９９】
電池４９３には、ＲＦタグ５０３−２が組み込まれている。ＲＦタグ５０３−２は、リーダ４９１から送信されてきた要求信号を受信し、受信した要求信号を基に、応答信号を無線通信により、リーダ４９１あてに送信する。以下、ＲＦタグ５０３−１およびＲＦタグ５０３−２を個々に区別する必要のないとき、単にＲＦタグ５０３と称する。
【０４００】
リーダ４９１は、PDA１３３に装着されている。リーダ４９１は、アンテナ５０１を備えている。リーダ４９１は、要求信号を生成し、生成した要求信号を、アンテナ５０１を介して、機器４９２および電池４９３あてに送信する。また、アンテナ５０１は、機器４９２および電池４９３から送信されてきた応答信号を受信する。
【０４０１】
リーダ４９１は、受信した応答信号を基に、予め記録している説明文書データを検索し、検索された説明文書データを取得する。リーダ４９１は、取得した説明文書データをPDA１３３に供給する。
【０４０２】
PDA１３３は、リーダ４９１から送信されてきた説明文書データを受信し、受信した説明文書データを基に、ディスプレイである出力部１３４に機器４９２の取り扱いを説明する画像を表示する。
【０４０３】
例えば、リーダ４９１から、カバー５０２および電池４９３を説明する説明文書データを受信した場合、ディスプレイである出力部１３４の領域１３５には、カバー５０２および電池４９３を説明する文字列“カバーを外して、電池を入れます”およびボタン５０４が表示される。ボタン５０４には、文字列“関連項目”が表示され、ユーザがタッチペンなどを操作することによって、ボタン５０４を選択すると、領域１３５には、カバー５０２および電池４９３と関連付けられた操作箇所を説明する文字列が表示される。
【０４０４】
また、ディスプレイである出力部１３４の領域２２４には、機器４９２および電池４９３を表す画像が表示される。この場合、機器４９２からどのようにカバー５０２を外し、電池４９３を装着するのかが分かるような画像が表示される。したがって、ユーザは、領域２２４に表示された画像を参照することにより、どのように機器４９２のカバー５０２を外し、電池４９３を電池格納部に装着するのかを知ることができる。
【０４０５】
このようにして、リーダ４９１は、複数のＲＦタグ５０３から応答信号を受信した場合、受信した応答信号を基に、相互に関連付けられた説明文書データを検索し、検索した説明文書データをPDA１３３に供給する。そして、PDA１３３は、リーダ４９１から送信されてきた説明文書データを受信し、受信した説明文書データを基に、互いに関連付けられた部位の取り扱いを説明する画像を表示する。
【０４０６】
ユーザは、説明が必要な機器の複数の部位に、リーダ４９１を近づけるだけで、PDA１３３に互いに関連付けられた部位に関係する情報が表示されるので、その機器の機能やその部位の名称を知らなくても、所望の部位に関係する情報を知ることができる。面倒な操作を必要とせず、簡単な操作で、ユーザは、機器の所望の部位について、迅速に必要な情報を取得することができる。
【０４０７】
図３５は、リーダ４９１の機能の構成を示すブロック図である。
【０４０８】
リーダ４９１は、アンテナ５０１、CPU５３１、ROM５３２、RAM５３３、バス５３４、入出力インターフェース５３５、記録部５３６、SPU５３７、発振回路５３８、変調部５３９、および復調部５４０を含むように構成される。
【０４０９】
なお、アンテナ５０１、CPU５３１、ROM５３２、RAM５３３、バス５３４、入出力インターフェース５３５、記録部５３６、発振回路５３８、および変調部５３９のそれぞれは、図１５におけるアンテナ２２３、CPU２５１、ROM２５２、RAM２５３、バス２５４、入出力インターフェース２５５、記録部２５６、発振回路２５８、および変調部２５９のそれぞれと同様なので、その説明は、省略する。
【０４１０】
制御部５２１は、CPU５３１、ROM５３２、RAM５３３、およびバス５３４を含むように構成される。CPU５３１は、ROM５３２に記憶されているプログラムを実行し、リーダ４９１全体を制御する。
【０４１１】
制御部５２１は、応答信号の送信を要求する旨の要求信号を生成し、生成した要求信号を、SPU５３７に供給する。また、制御部５２１は、SPU５３７から供給された応答信号を基に、記録部５３６に記録されている識別情報テーブルを参照して、予め記録している説明文書データを検索する。制御部５２１は、検索した説明文書データを記録部５３６から取得し、取得した説明文書データを、入出力インターフェース５３５を介して、PDA１３３に供給する。
【０４１２】
送信部５２２は、アンテナ５０１、SPU５３７、発振回路５３８、および変調部５３９を含むように構成され、無線通信により、各種データを送信する。また、受信部５２３は、アンテナ５０１、SPU５３７、および復調部５４０を含むように構成され、無線通信により、各種データを受信する。
【０４１３】
復調部５４０は、アンテナ５０１から供給された応答信号を、所定の復調方式により復調し、復調した応答信号をSPU５３７に供給する。
【０４１４】
なお、ＲＦタグ５０３の機能の構成は、図１６を参照して説明した、ＲＦタグ２２２の機能の構成と同様なので、その説明は、省略する。また、PDA１３３の機能の構成は、図１２を参照して説明した構成と同様なので、その説明は、省略する。
【０４１５】
図３６のフローチャートを参照して、検索プログラムを実行するリーダ４９１による説明文書データの検索の処理を説明する。
【０４１６】
ステップＳ４４１の処理乃至ステップＳ４４４の処理のそれぞれは、図１７を参照して説明した、ステップＳ１６１の処理乃至ステップＳ１６４の処理のそれぞれと同様なので、その説明は、省略する。また、リーダ４９１から送信されてきた要求信号を受信するＲＦタグ５０３による応答信号の受信の処理、およびリーダ４９１あてに応答信号を送信する、ＲＦタグ５０３による、応答信号の送信の処理は、図８を参照して、説明した要求信号の受信の処理および図２２を参照して説明した応答信号の送信の処理と同様なので、その説明は、省略する。
【０４１７】
ステップＳ４４５において、制御部５２１は、SPU５３７から供給される信号を基に、応答信号を受信してから、予め定められた所定の期間内に、他の応答信号を受信したか否かを判定する。例えば、ステップＳ４４５において、制御部５２１は、応答信号を受信してから、３秒間の間に他の応答信号を受信したか否かを判定する。
【０４１８】
ステップＳ４４５において、応答信号を受信してから、所定の期間内に、他の応答信号を受信していないと判定された場合、ステップＳ４４６に進み、制御部５２１は、SPU５３７から供給された応答信号を基に、記録部５３６に記録されている、識別情報テーブルを参照して、予め記録している説明文書データを検索する。
【０４１９】
ここで、記録部５３６には、例えば、図３７で示される識別情報テーブルが記録されている。
【０４２０】
識別情報テーブルには、ＲＦタグ５０３について、機器４９２または電池４９３の製造メーカの名前を表す“メーカ”、機器４９２または電池４９３の型番号を表す“型番号”、ＲＦタグ５０３のＲＦタグ番号を表す“ＲＦタグ番号”、ＲＦタグ５０３に対応する機器４９２若しくは電池４９３の操作箇所または機器４９２若しくは電池４９３などの名称を表す“部位名”、ＲＦタグ５０３に対応する操作箇所または機器などの説明である“説明”、相互に関連付けられたＲＦタグ番号を表す“関連ＲＦタグ番号”、ＲＦタグ５０３の位置を表す“位置”、および操作箇所の説明を表示させる説明文書データの名前を示す“説明文書データ”が含まれている。
【０４２１】
すなわち、図３７で示される識別情報テーブルの例において、“５”であるＲＦタグ番号、“Ａ”である電池４９３の製造メーカの名前、“Ｄ３４５”である電池４９３の型番号、および“（１，２，０，５）”であるＲＦタグ５０３の位置に対応して、“電池”である電池４９３の名称、“単三型アルカリ電池です”である電池４９３の説明、“６”および“８”である関連付けられたＲＦタグ番号、および“説明文書データＣ”である説明文書データの名前が配置されている。
【０４２２】
図３７で示される識別情報テーブルの例において、“６”であるＲＦタグ番号、“Ａ”である機器４９２の製造メーカの名前、“Ｂ１１２”である機器４９２の型番号、および“（２，２，０，６）”であるＲＦタグ５０３の位置に対応して、“カバー”である機器４９２の名称、“電池格納部のカバーです”である操作箇所（カバー５０２）の説明、“５”である関連付けられたＲＦタグ番号、および“説明文書データＤ”である説明文書データの名前が配置されている。
【０４２３】
図３７で示される識別情報テーブルの例において、“５”および“６”であるＲＦタグ番号、“Ａ”である機器４９２および電池４９３の製造メーカの名前、および“（１，２，０，５），（２，２，０，６）”であるＲＦタグ５０３の位置に対応して、“カバーを外して、電池を入れます”である互いに関連付けられた操作箇所（カバー５０２および電池４９３）の説明、“５”および“６”である関連付けられたＲＦタグ番号、および“説明文書データＥ”である説明文書データの名前が配置されている。
【０４２４】
従って、例えば、制御部５２１が、ＲＦタグ５０３−１およびＲＦタグ５０３−２から送信されてきた応答信号と、図３７で示される識別情報テーブルとを基に、説明文書データを検索する場合、説明文書データの検索結果として、説明文書データの名前（ファイル名）を示す“説明文書データＥ”が得られる。
【０４２５】
また、例えば、制御部５２１が、ＲＦタグ５０３−１から送信されてきた応答信号と、図３７で示される識別情報テーブルとを基に、説明文書データを検索する場合、説明文書データの検索結果として、“説明文書データＤ”が得られる。同様に、制御部５２１が、ＲＦタグ５０３−２から送信されてきた応答信号と、図３７で示される識別情報テーブルとを基に、説明文書データを検索する場合、説明文書データの検索結果として、“説明文書データＣ”が得られる。
【０４２６】
図３６の説明に戻り、ステップＳ４４７において、制御部５２１は、検索した結果を基に、記録部５３６に記録されている説明文書データを取得する。
【０４２７】
ステップＳ４４８において、制御部５２１は、取得した説明文書データを、入出力インターフェース５３５を介して、PDA１３３に送信し、説明文書データの検索の処理は、終了する。
【０４２８】
なお、このとき、PDA１３３は、リーダ４９１から送信されてきた説明文書データを受信し、受信した説明文書データを基に、画像を表示する。すなわち、図１２の入出力インターフェース１９５は、リーダ４９１から送信されてきた、説明文書データを受信し、受信した説明文書データを記録部１９７（図１２）に供給する。記録部１９７は、供給された説明文書データを記録する。また、CPU１９１は、記録部１９７に記録されている説明文書データを取得し、取得した説明文書データをディスプレイである出力部１３４に供給し、機器４９２の取り扱いを説明する画像を表示させる。
【０４２９】
一方、ステップＳ４４５において、応答信号を受信してから、所定の期間内に、他の応答信号を受信したと判定された場合、処理は、ステップＳ４４３に戻り、上述した処理を繰り返す。
【０４３０】
より詳細には、ステップＳ４４５において、１つ目の応答信号を受信してから、所定の期間内に、新たな応答信号を受信したと判定された場合、処理は、ステップＳ４４３に戻り、アンテナ５０１が、１つ目の応答信号を受信してから、所定の期間が経過した場合、処理は、ステップＳ４４６に進む。
【０４３１】
このようにして、リーダ４９１は、応答信号を受信し、受信した応答信号を基に、説明文書データを検索する。
【０４３２】
以上のように、リーダ４９１は、所定の期間内に、ＲＦタグ５０３から送信されてきた、複数の応答信号を受信した場合、受信した応答信号のそれぞれを基に、相互に関連付けられた説明文書データを検索する。そして、リーダ４９１は、検索した結果を基に、説明文書データを取得し、取得した説明文書データを、PDA１３３に供給する。また、PDA１３３は、リーダ４９１から供給された、説明文書データを基に、機器４９２の取り扱いを説明する画像をディスプレイとしての出力部１３４に表示する。
【０４３３】
第１の本発明によれば、機器にＲＦタグを設けたので、機器に関係する情報を得ることができる。また、第１の本発明によれば、機器の各操作箇所に対応するＲＦタグを設け、各ＲＦタグに関係する情報を記録するようにしたので、情報を検索する労力を軽減させ、より迅速に必要な情報を得ることができる。
【０４３４】
また、第２の本発明によれば、機器に関係する情報を受信するようにしたので、機器に関係する情報を表示することができる。また、第２の本発明によれば、機器の相互に関連付けられた操作箇所に関係する情報を検索するようにしたので、情報を検索する労力を軽減させ、より迅速に必要な情報を得ることができる。
【０４３５】
なお、リーダをPDAに装着すると説明したが、PDAに限らず、携帯電話機などの他の機器に装着するようにしてもよい。また、PDAの機能をリーダに内蔵させ、PDAで行うと説明した処理をリーダで行うようにしてもよい。
【０４３６】
また、ＲＦタグを配置する場所は、操作箇所の近傍に限らず、操作箇所そのものに組み込むようにしてもよい。さらに、隣り合うＲＦタグ同士を離して配置したり、ＲＦタグの周囲を金属などで遮蔽したり、また、ＲＦタグを囲む金属と、他のＲＦタグを囲む金属との間に絶縁体を配置するなどの方法により、周囲のＲＦタグが、誤って要求信号を受信しないようにすることも可能である。
【０４３７】
さらに、説明文書データを基に、画像を表示させると説明したが、画像に限らず、操作箇所を説明する音声を、再生させるようにしてもよく、画像を表示させると共に、操作箇所を説明する音声を再生するようにしてもよい。また、説明文書データとして、便利な使い方や、使い方のヒントなど、いわゆるティップス（Tips）を含むようにしてもよい。
【０４３８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０４３９】
この記録媒体は、コンピュータとは別に、ユーザにプログラムを提供するために配布される、プログラムが記録されている磁気ディスク（フレキシブルディスクを含む）、光ディスク（CD-ROM(Compact Disc-Read Only Memory)、ＤＶＤ(Digital Versatile Disc)を含む）、光磁気ディスク（ＭＤ(Mini-Disc)（商標）を含む）、若しくは半導体メモリなどよりなるパッケージメディアにより構成されるだけでなく、コンピュータに予め組み込まれた状態でユーザに提供される、プログラムが記録されているROMや、記録部に含まれるハードディスクなどで構成される。
【０４４０】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０４４１】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０４４２】
なお、本明細書において、システムとは、複数の装置により構成される装置全体を表すものである。
【図面の簡単な説明】
【０４４３】
【図１】無線通信するリーダおよびＲＦタグの構成を説明するブロック図である。
【図２】本発明に係る機器を説明する図である。
【図３】本発明に係る無線通信システムの一実施の形態を示す図である。
【図４】リーダの機能の構成を示すブロック図である。
【図５】ＲＦタグの機能の構成を示すブロック図である。
【図６】説明文書データの要求の処理および応答の処理を説明するフローチャートである。
【図７】要求信号の送信の処理を説明するフローチャートである。
【図８】要求信号の受信の処理を説明するフローチャートである。
【図９】説明文書データの送信の処理を説明するフローチャートである。
【図１０】本発明に係る無線通信システムの一実施の形態を示す図である。
【図１１】リーダの機能の構成を示すブロック図である。
【図１２】PDAの機能の構成を示すブロック図である。
【図１３】画像の表示の処理、説明文書データの要求の処理、および応答の処理を説明するフローチャートである。
【図１４】本発明に係る無線通信システムの一実施の形態を示す図である。
【図１５】リーダの機能の構成を示すブロック図である。
【図１６】ＲＦタグの機能の構成を示すブロック図である。
【図１７】画像の表示の処理、説明文書データの検索の処理、および応答の処理を説明するフローチャートである。
【図１８】識別情報を説明する図である。
【図１９】ＲＦタグの位置を説明する図である。
【図２０】識別情報テーブルを説明する図である。
【図２１】要求信号の送信の処理を説明するフローチャートである。
【図２２】応答信号の送信の処理を説明するフローチャートである。
【図２３】本発明に係る無線通信システムの一実施の形態を示す図である。
【図２４】リーダの機能の構成を示すブロック図である。
【図２５】PDAの機能の構成を示すブロック図である。
【図２６】説明文書データの送信の処理、画像の表示の処理、応答信号の要求の処理、および応答の処理を説明するフローチャートである。
【図２７】説明文書データの送信の処理、画像の表示の処理、応答信号の要求の処理、および応答の処理を説明するフローチャートである。
【図２８】本発明に係る無線通信システムの一実施の形態を示す図である。
【図２９】リーダの機能の構成を示すブロック図である。
【図３０】PDAの機能の構成を示すブロック図である。
【図３１】画像の表示の処理、応答信号の要求の処理、および応答の処理を説明するフローチャートである。
【図３２】応答信号の復号の処理を説明するフローチャートである。
【図３３】画像データの生成の処理を説明するフローチャートである。
【図３４】本発明に係る無線通信システムの一実施の形態を示す図である。
【図３５】リーダの機能の構成を示すブロック図である。
【図３６】説明文書データの検索の処理を説明するフローチャートである。
【図３７】識別情報テーブルを説明するフローチャートである。
【符号の説明】
【０４４４】
１１  リーダ，  １２，１２−１乃至１２−４  ＲＦタグ，  ３１  アンテナ，  ３４  制御部，  ３５  記録部，  ３６  出力部，  ４１  アンテナ，  ４５  制御部，  ４６  ROM，  ６１  機器，  ７１，７１−１乃至７１−４  ボタン，  ８１  送信部，  ８２  受信部，  １０１  CPU，  １０２  ROM，  １０３  RAM，  １１３  CPU，  １１４  RAM，  １２１  送信部，  １２２  受信部，  １３１  リーダ，  １３３  PDA，  １３４  出力部，  １５１  制御部，  １５２  送信部，  １５３  受信部，  １６１  CPU，  １６２  ROM，  １６３  RAM，  １６６  記録部，  １９１  CPU，  １９２  ROM，  １９３  RAM，  １９６  入力部，  １９７  記録部，  ２１１  機器，  ２１２  リーダ，  ２２１，２２１−１乃至２２１−４  ボタン，  ２２２，２２２−１乃至２２２−４  ＲＦタグ，  ２２３  アンテナ，  ２４１  制御部，  ２４２  送信部，  ２４３  受信部，  ２５１  CPU，  ２５２  ROM，  ２５３  RAM，  ２５６  記録部，  ２８１  制御部，  ２８２  送信部，  ２８３  受信部，  ２９６  CPU，  ２９７  ROM，  ２９８  RAM，  ３１１  リーダ，  ３１２  PDA，  ３１３，３１３−１，３１３−２  サーバ，  ３２１  アンテナ，  ３２２  出力部，  ３４１  制御部，  ３４２  送信部，  ３４３  受信部，  ３５１  CPU，  ３５２  ROM，  ３５３  RAM，  ３５６  記録部，  ３８１  CPU，  ３８２  ROM，  ３８３  RAM，  ３８６  入力部，  ３８７  記録部，  ３８８  通信部，  ４０１  リーダ，  ４０２  PDA，  ４１１  アンテナ，  ４１２  出力部，  ４１４，４１４−１乃至４１４−３  アイコン，  ４３１  制御部，  ４３２  送信部，  ４３３  受信部，  ４４１  CPU，  ４４２  ROM，  ４４３  RAM，  ４４６  記録部，  ４７１  CPU，  ４７２  ROM，  ４７３  RAM，  ４７６  入力部，  ４７７  記録部，  ４９１  リーダ，  ４９２  機器，  ４９３  電池，  ５０１  アンテナ，  ５０２  カバー，  ５０３，５０３−１，５０３−２  ＲＦタグ，  ５２１  制御部，  ５２２  送信部，  ５２３  受信部，  ５３１  CPU，  ５３２  ROM，  ５３３  RAM，  ５３６  記録部
【図１】
0004626798.tif 000002
【図２】
0004626798.tif 000003
【図３】
0004626798.tif 000004
【図４】
0004626798.tif 000005
【図５】
0004626798.tif 000006
【図６】
0004626798.tif 000007
【図７】
0004626798.tif 000008
【図８】
0004626798.tif 000009
【図９】
0004626798.tif 000010
【図１０】
0004626798.tif 000011
【図１１】
0004626798.tif 000012
【図１２】
0004626798.tif 000013
【図１３】
0004626798.tif 000014
【図１４】
0004626798.tif 000015
【図１５】
0004626798.tif 000016
【図１６】
0004626798.tif 000017
【図１７】
0004626798.tif 000018
【図１８】
0004626798.tif 000019
【図１９】
0004626798.tif 000020
【図２０】
0004626798.tif 000021
【図２１】
0004626798.tif 000022
【図２２】
0004626798.tif 000023
【図２３】
0004626798.tif 000024
【図２４】
0004626798.tif 000025
【図２５】
0004626798.tif 000026
【図２６】
0004626798.tif 000027
【図２７】
0004626798.tif 000028
【図２８】
0004626798.tif 000029
【図２９】
0004626798.tif 000030
【図３０】
0004626798.tif 000031
【図３１】
0004626798.tif 000032
【図３２】
0004626798.tif 000033
【図３３】
0004626798.tif 000034
【図３４】
0004626798.tif 000035
【図３５】
0004626798.tif 000036
【図３６】
0004626798.tif 000037
【図３７】
0004626798.tif 000038